(57)【要約】【課題】  携帯用袋ケース、鞄などに入れられて持ち運ばれる未使用時のカメラに電源がユーザの意図に反し不意に入った場合でも、鏡枠が繰り出されることがなく、レンズ鏡筒の損傷を防止した撮像装置を提供すること。【解決手段】  撮像装置１は、伸縮自在な撮影レンズ鏡筒３と、電源スイッチ４６と、外光を検出する撮像素子８２、及び測光センサ３７とを備え、電源スイッチ４６が操作されて電源が入ると、撮像素子８２、または測光センサ３７により外光が検出されない場合、撮影レンズ鏡筒３の繰り出しを行なわずに強制的に電源を切り、撮像素子８２、または測光センサ３７が外光を検出した場合、撮影レンズ鏡筒３の繰り出し制御を行なう。【選択図】図２７
2011022415.tif 000002
【特許請求の範囲】
【請求項１】
伸縮自在な撮影レンズ鏡筒を有する撮像装置において、
撮影レンズ光軸方向に短縮された短縮状態と伸長した伸長状態とに伸縮可能な撮影レンズ鏡筒と、
第１の操作部材と、
外光を検出するセンサと、
上記第１の操作部材が入力されると、上記センサにより外光を検出させ、該外光が検出されないときは上記撮影レンズ鏡筒の繰り出しを行なわずに強制的に電源を切り、上記センサにより外光が検出されたときには上記撮影レンズ鏡筒の繰り出し制御を行なう制御手段と、
を具備したことを特徴とした撮像装置。
【請求項２】
上記センサは、撮像素子であることを特徴とした請求項１に記載の撮像装置。
【請求項３】
上記第１の操作部材とは異なる第２の操作部材を具備し、
上記制御手段は、上記第１の操作部材と上記第２の操作部材が同時に操作されたときに
強制的に電源をＯＮにする制御を行なうことを特徴とした請求項１、または請求項２の何れか１項に記載の撮像装置。
【請求項４】
複数の撮影モードを有し、
上記第１の操作部材、及び上記第２の操作部材とは異なる第３の操作部材を具備し、
上記第３の操作部材は、上記複数の撮影モードの１つを選択するモードスイッチであることを特徴とした請求項３に記載の撮像装置。
【請求項５】
上記撮影レンズの前面より退避する退避位置と該撮影レンズ前面を遮蔽する遮蔽位置とに駆動されるバリアを具備し、
上記制御手段は、上記第１の操作部材が入力されると、上記バリアを上記遮蔽位置から上記退避位置へと駆動させ、上記センサにより、外光を検出させ、該外光が検出されないときは上記撮影レンズ鏡筒の繰り出しを行なわずに、上記バリアを該退避位置から該遮蔽位置へと駆動させ、上記電源を強制的に切る制御を行なうことを特徴とする請求項１、または請求項２に記載の撮像装置。
【発明の詳細な説明】
【技術分野】
【０００１】
本発明は、沈胴状態のレンズ鏡筒を繰り出して使用される撮像装置に関する。
【背景技術】
【０００２】
従来、鏡枠が沈胴するタイプのカメラは、再生モード以外で電源を入れると同時に鏡枠が繰り出す構成となっている。
【０００３】
例えば、特許文献１には、外力などによるレンズ鏡筒の損傷を防止するため、ユーザの手指が撮影モードボタンに接触したときの静電容量の変化を検出して、電源が入り、レンズ鏡筒を繰り出す制御を行なうカメラ及びカメラレンズ鏡筒制御方法が開示されている。尚、この従来のカメラは、撮影モード以外のボタンが操作されたときは、レンズ鏡筒を沈胴させる制御を行なう。
【０００４】
また、例えば、特許文献２には、ＣＣＤによってレンズキャップの有無を検出し、ＣＣＤによってレンズキャップが検出されなかった場合のみ、レンズ鏡筒を繰り出すカメラが開示されている。  
【先行技術文献】
【特許文献】
【０００５】
【特許文献１】特開２００８−３０４６３２号公報
【特許文献２】特開２００８−１２２８２７号公報
【発明の概要】
【発明が解決しようとする課題】
【０００６】
ところで、コンパクトカメラは、布、革などの柔らかな携帯用袋ケース、鞄などに入れて持ち運ばれることが多い。そのため、携帯用袋ケース、鞄の中などで、ユーザの意図に反して不意に使用しないカメラの電源が入ってしまった場合、レンズ鏡筒が繰り出してしまい、鏡枠に無理な付加が与えられ損傷を受ける可能性がある。このように鏡枠の損傷防止のために、上述した従来のカメラの技術を用いることで、カメラの使用時と未使用時の判別を行なうことができる。
【０００７】
しかしながら、上述した特許文献１に開示された従来のカメラにおいては、ユーザが手袋などしている場合、静電容量の変化を検出できず、電源が入らず、レンズ鏡筒を繰り出す制御が実行されないという問題があった。また、上述した特許文献２のカメラの技術においては、レンズキャップのないコンパクトカメラに適用することができないという問題がある。
【０００８】
そこで、本発明は、上述の問題を解決するためになされたものであり、携帯用袋ケース、鞄などに入れられて持ち運ばれる未使用時のカメラの保護を目的とし、ユーザの意図に反して電源が不意に入った場合においても、鏡枠が繰り出されることがなく、レンズ鏡筒の損傷を防止した撮像装置を提供することである。
【課題を解決するための手段】
【０００９】
本発明の第１の撮像装置は、伸縮自在な撮影レンズ鏡筒を有する撮像装置において、撮影レンズ光軸方向に短縮された短縮状態と伸長した伸長状態とに伸縮可能な撮影レンズ鏡筒と、第１の操作部材と、外光を検出するセンサと、上記第１の操作部材が入力されると、上記センサにより外光を検出させ、該外光が検出されないときは上記撮影レンズ鏡筒の繰り出しを行なわずに強制的に電源を切り、上記センサにより外光が検出されたときには上記撮影レンズ鏡筒の繰り出し制御を行なう制御手段と、を具備することを特徴としている。
【００１０】
本発明の第２の撮像装置は、上記第１の撮像装置において、上記センサは、撮像素子であることを特徴としている。
【００１１】
本発明の第３の撮像装置は、上記第１の撮像装置、または上記第２の撮像装置の何れかにおいて、さらに上記第１の操作部材とは異なる第２の操作部材を具備し、上記制御手段は、上記第１の操作部材と上記第２の操作部材が同時に操作されたときに強制的に電源をＯＮにする制御を行なうことを特徴としている。
【００１２】
本発明の第４の撮像装置は、上記第３の撮像装置において、複数の撮影モードを有し、
上記第１の操作部材、及び上記第２の操作部材とは異なる第３の操作部材を具備し、上記第３の操作部材は、上記複数の撮影モードの１つを選択するモードスイッチであることを特徴としている。
【００１３】
本発明の第５の撮像装置は、上記第１の撮像装置、または上記第２の撮像装置において、さらに、上記撮影レンズの前面より退避する退避位置と該撮影レンズ前面を遮蔽する遮蔽位置とに駆動されるバリアを具備し、上記制御手段は、上記第１の操作部材が入力されると、上記バリアを上記遮蔽位置から上記退避位置へと駆動させ、上記センサにより、外光を検出させ、該外光が検出されないときは上記撮影レンズ鏡筒の繰り出しを行なわずに、上記バリアを該退避位置から該遮蔽位置へと駆動させ、上記電源を強制的に切る制御を行なうことを特徴としている。
【発明の効果】
【００１４】
本発明によれば、携帯用袋ケース、鞄などに入れられて持ち運ばれる未使用時のカメラに電源がユーザの意図に反して不意に入った場合でも、鏡枠が繰り出されることがなく、レンズ鏡筒の損傷を防止した撮像装置を提供することができる。
【図面の簡単な説明】
【００１５】
【図１】本発明の第１の実施の形態に係るバリア付きカメラのバリア閉、かつ、レンズ鏡筒沈胴の状態における光軸を含む横断面図である。
【図２】図１のカメラの前メタルカバーおよびレンズバリア，バリア駆動部を含むバリア装置の分解斜視図である。
【図３】図１のカメラの前本体，固定枠，駆動ユニットの分解斜視図である。
【図４】図１のカメラのレンズ鏡筒の一部の分解斜視図である。
【図５】図１のカメラのレンズ鏡筒の他の一部の分解斜視図である。
【図６】図１のカメラのバリア装置をバリアキャップが外された状態で前面側から見た斜視図である。
【図７】図６のバリア装置を背面側から見た斜視図である。
【図８】図６のバリア装置の正面図である。
【図９】図６のバリア装置の背面図である。
【図１０】図１のカメラのレンズバリア閉状態における前メタルカバーを外した状態の正面図である。
【図１１】図１０の状態でさらにバリアキャップを外した状態の正面図である。
【図１２】図１のカメラのレンズバリア開状態における前カバーを外した状態の正面図である。
【図１３】図１２のＡ−Ａ断面図である。
【図１４】図６のバリア装置の一動作状態を示す正面図であり、レンズバリアの閉方向の移動が外力で不意に阻止されたときの状態を示す。
【図１５】図１のカメラのバリア閉、かつ、レンズ鏡筒沈胴の状態での光軸を含む横断面図である。
【図１６】図１のカメラのバリア閉、かつ、レンズ鏡筒沈胴の状態におけるバリア体／バリアベース当接部分を含む面（光軸から外れた面）上の横断面図である。
【図１７】図１のカメラのバリア開でレンズ鏡筒沈胴の状態での光軸を含む横断面図である。
【図１８】図１のカメラのバリア開でレンズ鏡筒テレの状態での光軸を含む横断面図である。
【図１９】図４，図５のレンズ鏡筒ワイド状態における光軸を含む縦断面図である。
【図２０】図４，図５のレンズ鏡筒のフレア絞りの中央開口部周辺が前方に押し出された状態を示す図である。
【図２１】図４，図５のレンズ鏡筒の上記フレア絞りの中央開口部周辺が後方に押し出された状態を示す。
【図２２】図４，図５のレンズ鏡筒の固定枠の内周面と鏡筒駆動ギヤとの展開図に上記回転移動枠の外周ギヤ部，ヘリコイドネジ（雄），凸部の部分展開図を重ねて示した作動状態展開図であり、図２２（Ａ）は、図１のカメラがバリア閉、レンズ鏡筒沈胴状態にある駆動初期時の上記レンズ鏡筒の状態を示し、図２２（Ｂ）は、図１のカメラがバリア開、レンズ鏡筒沈胴状態、および、レンズ鏡筒繰り出し状態（ワイド状態）にある時のレンズ鏡筒の状態を示し、図２２（Ｃ）は、上記カメラがレンズ鏡筒ワイド状態からテレ状態に変化した時のレンズ鏡筒の状態を示す。
【図２３】図４，図５のレンズ鏡筒の回転移動枠の内周部の展開図にカム枠のカムフォロアおよび直進枠のカム溝を重ねて示した作動図であって、バリア閉／沈胴状態からバリア開／沈胴状態、バリア開／繰り出し初期状態、バリア開／繰り出し終了状態、さらに、バリア開／ズーム状態（テレ状態）を示す図である。
【図２４】図４，図５のレンズ鏡筒のカム枠のカムフォロアおよびカム溝を外周から見た展開図である。
【図２５】図１のカメラの背面図である。
【図２６】図１のカメラ内の電気的な構成を示すブロック図である。
【図２７】図１のカメラの制御部が実行する電源ＯＮ時の制御処理を示すフローチャートである。
【図２８】第２の実施の形態に係り、図１のカメラの制御部が実行する電源ＯＮ時の制御処理を示すフローチャートである。
【図２９】第３の実施の形態に係り、図１のカメラの制御部が実行する電源ＯＮ時の制御処理を示すフローチャートである。
【図３０】第４の実施の形態に係り、図１のカメラの制御部が実行する電源ＯＮ時の制御処理を示すフローチャートである。
【図３１】第５の実施の形態に係り、図１のカメラの制御部が実行する電源ＯＮ時の制御処理を示すフローチャートである。
【図３２】第６の実施の形態に係り、図１のカメラの制御部が実行する電源ＯＮ時の制御処理を示すフローチャートである。
【発明を実施するための形態】
【００１６】
以下、図を用いて本発明の実施の形態について説明する。  
（第１の実施の形態）
図１は、本発明のバリア付きカメラのバリア閉、かつ、レンズ鏡筒沈胴の状態における光軸を含む横断面図である。図２〜図５は、上記カメラの分解斜視図であり、図２は、前メタルカバーおよびレンズバリア，バリア駆動部を含むバリア装置の分解斜視図、図３は、前本体，固定枠，駆動ユニットの分解斜視図、図４は、レンズ鏡筒の一部の分解斜視図、図５は、レンズ鏡筒の他の一部の分解斜視図である。図６は、上記バリア装置のバリアキャップを外した状態を前面側から見た斜視図である。図７は、上記バリア装置を背面側から見た斜視図である。図８は、上記バリア装置の正面図である。図９は、上記バリア装置の背面図である。図９は、上記カメラのレンズバリア閉状態で前メタルカバーを外した状態の正面図である。図１１は、図１０の状態でさらにバリアキャップを外した状態での正面図である。図１２は、上記カメラのレンズバリア開状態で前メタルカバーを外した状態の正面図である。図１３は、図１２のＡ−Ａ断面図である。図１４は、上記バリア部の一動作状態を示す正面図であり、レンズバリアの閉方向の移動が外力で不用意に阻止されたときの状態を示す。
【００１７】
なお、以下の説明において、カメラの撮影レンズ光軸をＯとし、光軸Ｏと平行な方向をＺ方向とする。Ｚ方向の被写体側を前方側，結像側を後方側（背面側）とする。Ｚ方向に対して直交する左右方向をＸ方向とし、その左右方向は、被写体側（前方側）から見た方向で示す。回転方向は、被写体側から見た反時計回り、または、時計回り方向で示す。
【００１８】
本実施の形態の撮像装置となるカメラ１は、撮像素子としてＣＣＤを内蔵する沈胴（短縮）およびズーム（伸長）可能な撮影レンズ鏡筒を有するバリア付きの防水カメラであって、図１に示すようにズーム駆動ユニット４などの各カメラ内蔵部材が収納される枠部材（カメラ本体）としての、レンズ開口部５ａを有する前本体５と後本体６が配される。前本体５の前面部には、撮影レンズ開口窓部であるレンズ開口部７ａを有する外装部材としてアルミニウム合金などからなる前メタルカバー７が接着固着もしくはネジにより固定され、同じく後本体６の背面部には、ＬＣＤ表示窓を有する外装部材としてアルミニウム合金などからなる後メタルカバー９が接着固着もしくはネジにより固定される。さらに、前メタルカバー７と後メタルカバー９の間には、その周囲の一部に外装部材としてアルミニウム合金などからなる帯状の中メタルカバー８が配されている。また、前本体５の左端部には、開閉可能な外部端子／メモリカード蓋１１が配されている。
【００１９】
なお、前メタルカバー７のレンズ開口部７ａの周辺は、Ｘ方向の右方側がＺ方向後方に僅かに傾斜する傾斜面を形成しているものとする。
【００２０】
前本体５と後本体６の内部には、Ｘ方向右寄りの位置にズーミング，フォーカシングが可能であって、撮影不可能位置な収納位置である沈胴位置（収縮位置）と、沈胴位置から繰り出された撮影可能位置（伸長位置）との間のレンズ移動軌跡上を進退移動するレンズ駆動装置を含むレンズ鏡筒３と、該レンズ鏡筒３およびレンズバリアを含むバリア装置２を駆動するためのズーム駆動ユニット４が内蔵、保持される。さらに、該内部には、Ｘ方向左寄りの前方側から電気回路基板１２，１３と上記基板１３に実装される記録媒体スロット１４および電池収納室に収納される主電源用電池１７などが配され、レンズ鏡筒３の右側と前本体５の間の隙間にストロボ用メインコンデンサ１５が収納され、後本体６のＬＣＤ表示窓の内側にＬＣＤ１６が配されている。そして、前本体５と前メタルカバー７との間のスペースには、レンズバリア３３および該レンズバリア３３を駆動するためのバリア駆動部を含むバリア装置２が配されている。
【００２１】
なお、前本体５と後本体６の接合部は、レンズ鏡筒３の周囲を含めて防水構造を有している。そして、前本体５と後本体６との上記接合部には、凸，凹嵌合部が形成されており、該嵌合部に紐状パッキン１８が一周以上巻回されて挟持されており、該接合部のシールがなされている。但し、前本体５と前メタルカバー７の間は完全な防水構造を有してはおらず、前メタルカバー７内部にバリア装置２が収納されるが水滴が侵入しても特に問題となる部材は配されていない。
【００２２】
ズーム駆動ユニット４は、図３に示すように電動駆動源となる駆動モータ４１と、前本体５にビスによって固定支持されるギヤボックスに組み込まれ、かつ、駆動モータ４１によって駆動されるギヤ列、および、該ギヤ列によって駆動される第１の出力ギヤ４２および第１の出力ギヤ４２と連動駆動される第２の出力ギヤ４３とを有してなる。
【００２３】
第１の出力ギヤ４２は、レンズ鏡筒３の固定枠５１のギヤ室５１ｇに配されるロングギヤ状の鏡筒駆動ギヤ４４に噛合する。鏡筒駆動ギヤ４４は、後述するレンズ鏡筒３の回転移動枠５２の外周ギヤ部５２ａ（図４）に噛合し、該回転移動枠５２を回動駆動することによってレンズ鏡筒の各構成鏡枠部材（図４，５）の進退回転駆動を行う。
【００２４】
上記ギヤボックス内には、さらに、第２の出力ギヤ４３と噛合するバリア駆動ギヤ４５が回転可能に支持されて内蔵されている。バリア駆動ギヤ４５を介してバリア装置２が駆動される。なお、バリア駆動ギヤ４５は、嵌合角度が特定可能な非円形断面の出力軸端部４５ａを有し、バリア装置駆動用のピニオン２３と後述する回転軸２１を介して結合される。
【００２５】
駆動モータ４１により鏡筒駆動ギヤ４４と回転移動枠５２（図４）を介してレンズ鏡筒３の収納状態から撮影状態（または、その逆方向状態）までの回動進退駆動が行われ、かつ、バリア駆動ギヤ４５とピニオン２３，駆動リング２４（図２）を介してバリア装置２の開閉駆動を行われるが、回転移動枠５２と駆動リング２４とは、連動関係にある。
【００２６】
詳しくは、後述する図２２の固定枠／回転移動枠の動作状態の展開図や図２３の回転移動枠／直進枠／カム枠の動作状態の展開図を用いてあとで説明するが、カメラ１がバリア閉状態で、かつ、レンズ鏡筒３が沈胴状態にあるときの回転移動枠５２の初期回動位置（バリア閉／沈胴位置）をＰ０として、駆動モータ４１を始動させて、回転移動枠５２が繰り出し準備（バリア開放）のための回転角θ０だけ回動し、繰り出しを始めるバリア開／沈胴位置Ｐ１に到達する（図２２の展開図）。その後、回転移動枠５２が上記レンズ鏡筒の繰り出し開始から終了まで回転角θ１だけ回動すると、繰り出し終了回動位置（すなわち、ワイド位置）であるバリア開／繰り出し終了位置Ｐ２に到達する。さらに、回転移動枠５２を回転角θ２（ズーム回転角）だけ回動させるとバリア開／ズーム位置（テレ）Ｐ３に到達する。上述したレンズ鏡筒３の繰り出し準備、繰り出し、および、ズーム動作のためのトータルした回転角、すなはち、θ０＋θ１＋θ２だけ回転移動枠５２は、駆動モータ４１により駆動されるが、その回転移動枠５２の回動に連動してバリア駆動ギヤ４５，ピニオン２３を介して駆動リング２４が回転角θ０＋θ１＋θ２に対応する角度だけ回動駆動される。
【００２７】
バリア装置２は、前述したように図２に示す被駆動部としてのバリア部材であるレンズバリア３３と、被駆動部駆動手段（バリア駆動手段）としてのバリア駆動部とからなる。
【００２８】
レンズバリア３３は、その前面部にバリアキャップ３４が接着により固着される円板形状の樹脂成形部材であり、駆動モータ４１の駆動力により上記第２の出力ギヤ４３および上記バリア駆動部を介してＸ方向に沿ってスライド移動される。そのスライド移動位置は、レンズ鏡筒３の撮影レンズである第１群レンズ７１を含む鏡枠（回転移動枠５２など）の前面に対向した光軸Ｏ上の対向位置であって、沈胴位置にある該撮影レンズを保護する保護位置（第１の位置）である閉位置、および、第１群レンズ７１および回転移動枠５２などの前面から退避した退避位置（第２の位置）である開位置である。さらに、後述するようにレンズバリア３３が上記保護位置に移動したときは、レンズバリア３３の左側がＺ方向前方に僅かに回動して持ち上がり、バリアキャップ３４がレンズ開口部７ａに嵌入し、前面が前メタルカバー７のレンズ開口部７ａまわりの前面部と同一面となるように移動する。
【００２９】
レンズバリア３３には、中央部に開口部３３ｂと、該開口部内に光軸Ｏを中心にしてＸ方向に突出する２つの突起部３３ｉと、該突起部の前面側にＸ方向に沿って設けられる切り欠きのある溝部３３ａと、突起部３３ｉの左側に設けられる穴部３３ｅの左方端部に配される斜面部３３ｄと、光軸Ｏより僅かに左側に寄った部分の上下離間した位置に左方に突出する２つの当接部３３ｃが設けられる。
【００３０】
バリアキャップ３４は、アルミニウム合金などの金属板製の部材であり、前メタルカバー７のレンズ開口部７ａに嵌合可能な形状の前面側円形突出部を有し、該突出部の周囲に沿ってフランジ部３４ｂが設けられる。
【００３１】
上記バリア駆動部は、図２に示すように外部伝達部材としての回転軸部材である回転軸２１と、回転軸２１に結合される金属板製のピニオン２３と、ピニオン押さえ板２５と、前本体５に回動可能に保持され、駆動機構を構成するピニオン２３と噛合する駆動リング２４と、駆動リング押さえ板２６と、駆動リング２４と係合可能な第１の部材としてのスライダ２７と、スライダ押さえ板２８と、スライダ２７と連動し、回動する第２の部材としてのバリアレバー２９と、バリアレバー２９とスライダ２７とを相対的に互いに接近する方向に付勢する付勢手段であるトーションバネ３１と、バリアレバー２９によりスライド移動可能に支持される移動部材としての移動板３２と、移動板３２をＸ方向に沿ってスライドガイドするガイド軸３５とを有してなる。
【００３２】
回転軸２１は、Ｚ方向に沿って配される小円筒形状の軸部材であって、後方にバリア駆動ギヤ４５の出力軸端部４５ａと相対回転規制状態で嵌入するメクラ穴である嵌合軸穴部２１ｃが設けられ、外周部に形成される溝にはシール部材であるＯリング２２が装着されている。さらに、先端部には、ピニオン２３の軸穴に回転規制状態で嵌合する嵌合凸部２１ｂと先端軸部２１ａが設けられる。
【００３３】
回転軸２１は、図１３に部分断面図に示すように前本体５の右方に配された貫通部である段付き貫通軸穴５ｅにＯリング２２を周上で挟んだ状態で回転可能に嵌入し貫通した状態で支持される。回転軸２１の後方にはバリア駆動ギヤ４５の出力軸端部４５ａが嵌入され、さらに、前方にはピニオン２３と、が共に相対回転規制状態で嵌合される。そして、ピニオン押さえ板２５がピニオン２３の前方への移動を規制した状態で軸穴部２５ａに回転軸２１の先端軸部２１ａを回転可能に嵌入させた状態でビスを前本体５のビス穴５ｍに螺着して前本体５に取り付けられる。
【００３４】
従って、Ｏリング２２によりシールされた状態で回転軸２１が回転可能に貫通した状態でバリア駆動ギヤ４５の回転が前本体５の外方に配されるピニオン２３に伝達される。
【００３５】
なお、上述のように前本体５の貫通軸穴５ｅが前本体５の外部とシールされることによって前述した本体接合部や他の接合部を含めて本体全外形面がシールされることになり、少なくとも前本体５と後本体６の内部は、防水された状態には保持される。なお、バリア装置２の構成部材が配される前本体５の前面と前メタルカバー７との間のスペ−スは防水された状態にはならないが、バリア装置２自体が特に防水を施す必要のない部材で構成されていることから特に問題にはならない。
【００３６】
駆動リング２４は、前本体５の光軸Ｏ中心のレンズ開口部５ａの周辺（周囲）に沿って配される駆動リング嵌合外周部５ｂに回動可能に嵌入する部材であり、外周の所定の角度範囲に設けられるギヤ部２４ａと、ギヤ部２４ａの対向側外周部に係合，解除手段である切り欠き部２４ｃと突起部２４ｄが設けられている。
【００３７】
ギヤ部２４ａは、ピニオン２３と噛合するが、上記ギヤ部２４ａの所定角度範囲は、ピニオン２３が駆動モータ４１による前述したレンズ鏡筒の回転移動枠５２の回転角度θ０，θ１，θ２のトータル角度に対応する角度分の回転を許容する範囲である。
【００３８】
切り欠き部２４ｃには、後述するスライダ２７の従動ピン２７ｂが駆動リング２４の初期位置から時計回りの所定回動期間（回転移動枠５２の回転角度θ０に対応する回動角度）だけ係合し、それ以上の回動では、切り欠き部２４ｃから従動ピン２７ｂの係合が解除される。駆動リング２４の反時計回りの回動時には、逆に解除状態から係合状態に戻り、係合した状態で駆動リング２４が反時計回りに回動することになる。そして、上記従動ピン２７ｂの係合状態では、スライダ２７がＸ方向の左方、または、右方にスライド移動する。解除状態では、スライダ２７は左方移動位置に停止している。
【００３９】
駆動リング押さえ板２６は、凸部２６ａを前本体５の溝部５ｄに挿入してレンズ開口部５ａに周辺に取り付け、ビスで固着される。該押さえ板２６によって駆動リング２４は、駆動リング嵌合外周部５ｂにＺ方向に位置規制され、かつ、回動可能に支持される。また、該押さえ板２６にはガイド軸３５の軸押さえ突起２６ｂやアース接片２６ｄも設けられる。
【００４０】
駆動リング押さえ板２６のアース接片２６ｄは、カメラ組み立て状態で前メタルカバー７の内面に電気的に接触する。一方、前メタルカバー７，中メタルカバー８，後メタルカバー９は、互いに電気的に接続状態にあり、さらに、中メタルカバー８と内蔵電気回路基板のグランドラインとがビス結合されている。従って、カメラ１のすべての金属製外装部は、電気回路側のグランドラインに落ちるようになっている。また、駆動リング押さえ板２６の凸部２６ａの先端部は、レンズ鏡筒３の回転移動枠５２の外周の金属製のキャップ６２が繰り出された状態で極めて接近する位置に配されている。従って、レンズ鏡筒３のキャップに生じる静電気は、レンズ鏡筒繰り出し時に凸部２６ａの先端部を介して放電される。
【００４１】
スライダ２７は、従動ピン２７ｂを駆動リング２４の切り欠き部２４ｃに嵌入係合させ、該ピンの先端部を前本体５のＸ方向のガイド溝５ｋに摺動可能に挿入させ、さらに、Ｘ方向のガイド溝２７ａを前本体５のボス部５ｈに摺動可能に嵌入させた状態で支持されて前本体５の前面下方部に取り付けられる。このスライダ２７のＸ方向左側には、駆動ピン２７ｃとバネ掛ケ部２７ｄとが設けられる。
【００４２】
スライダ押さえ板２８は、ビスを前本体５のボス部５ｈ上のビス穴５ｇと右方のビス穴５ｉに螺着して固定され、スライダ２７をＸ方向にスライド可能な状態でそのＺ方向を規制する。このスライダ押さえ板２８には、左方先端に突出する突起部２８ｂと中央部にＸ方向の長穴２８ｃが設けられる。突起部２８ｂは、スライダ２７の駆動ピン２７ｃがバリアレバー２９の後述するカム部２９ｂと当接したとき、駆動ピン２７ｃと当接し、駆動ピン２７ｃの下方向の分力を受ける。長穴２８ｃは、組み立て時のスライダ２７の操作用開口穴である。
【００４３】
バリアレバー２９は、軸穴２９ａを前本体５のボス部５ｎに駆動可能に嵌入させ、ビスをボス部５ｎのビス穴５ｊに螺着して装着される。このバリアレバー２９には、軸穴２９ａ近傍にカム部２９ｂと、バネ掛部２９ｄと、レバー端部に曲線状のガイド溝２９ｃとが設けられる。
【００４４】
バリアレバー２９のカム部２９ｂは、スライダ２７の駆動ピン２７ｃと当接していて、スライダ２７のＸ方向に従動してバリアレバー２９は、回動駆動される。ガイド溝２９ｃには、移動板３２の背面側に固着される頭付き連動ピン３６が摺動可能に嵌入する。
【００４５】
さらに、バリアレバー２９のバネ掛部２９ｄには、ボス部５ｎに挿入されたトーションバネ３１の一方のバネ端３１ｂが懸架される。バリアレバー２９が時計回りに付勢される。トーションバネ３１の他方のバネ端３１ａは、スライダ２７のバネ掛ケ部２７ｄに懸架される。トーションバネ３１は、スライダ２７をＸ方向左方にバリアレバー２９と接近する方向に、また、バリアレバー２９を時計回りに（スライダ２７の駆動ピン２７ｃとバリアレバー２９のカム部２９ｂとが当接する方向に）付勢するチャージ状態で組み込まれる。
【００４６】
ガイド軸３５は、Ｘ方向に沿った真直軸であり、一端が前本体５の左方の軸支部５ｆに支持され、他端がレンズ開口部５ａの上方に位置する軸支部５ｃで支持される。
【００４７】
移動板３２は、レンズバリア３３に対応する平面部をもつ、ステンレス鋼板などの金属板の部材であり、その平面部をＺ方向に対して垂直に保った状態で、２つの軸摺動支持部３２ａと１つの中央軸押さえ凸部３２ｂを挿通するガイド軸３５によってＸ方向にスライド可能に支持される。
【００４８】
この移動板３２には、その中央部に光軸Ｏを中心とする嵌合部である嵌合溝３２ｉが設けられ、嵌合溝上辺から左方方向にＵターンした形状の付勢部としての片持ち梁状のバネ部３２ｄが設けられ、バネ部３２ｄの先端には、上下凸のＴ状先端部３２ｅが設けられる。また、嵌合溝３２ｉの左側に傾斜した舌片部３２ｆが設けられ、光軸Ｏの左側の上下に前面側突起状の２つの凸部３２ｇが設けられる。凸部３２ｇの右側面部は傾斜面となっている。さらに、移動板３２の下端部に突出した当接摺動部３２ｈが設けられる。
【００４９】
移動板３２には、嵌合溝３２ｉをレンズバリア３３の突起部３３ｉにＸ方向に相対的に摺動可能、かつ、回転規制状態で嵌合してレンズバリア３３に取り付けられる。その取り付け状態では、移動板３２は、Ｔ状先端部３２ｅがレンズバリア３３の溝部３３ａに当接し、バネ部３２ｄの付勢力によりレンズバリア３３を常時、後方（Ｆ方向（図６））に押圧する。また、レンズバリア３３が閉位置にあるとき、舌片部３２ｆがレンズバリア３３の穴部３３ｅに挿通した状態で、かつ、凸部３２ｇの頂上部にレンズバリア３３の当接部３３ｃが当接する状態で位置する。
【００５０】
レンズバリア３３が開位置にあるときは、上記閉位置のときのレンズバリア３３と移動板３２の相対位置状態よりも移動板３２がレンズバリア３３に対して相対的にＸ方向左方に所定量スライド移動している。従って、舌片部３２ｆがレンズバリア３３の斜面部３３ｄに当接し、かつ、レンズバリア３３の当接部３３ｃがバネ部３２ｄの付勢力を受けて凸部３２ｇから降下したＸ方向右側の平面部上に接触し、レンズバリア３３が移動板３２側に密着した状態に保持される。
【００５１】
移動板３２の裏面部には、頭付き連動ピン３６に係合したバリアレバー２９が挿入されており、移動板３２にはバリアレバー２９によるＺ方向後方への付勢力が作用している。従って、移動板３２のＺ方向前方への浮き上がりが防止される。また、移動板３２のＺ方向後方へ変位（ずれ）は、移動板３２の上方はガイド軸３５で受け、下方は当接摺動部３２ｈがスライダ押さえ板２８の表面を摺接することで規制される。
【００５２】
上述した構成を有するバリア装置２の組み立て状態は、前面側、または、背面側から見た斜視図として図６，図７に示される。
【００５３】
次に、バリア装置２の開閉動作について、図１，図８〜図１２，図１４、さらに、図１５〜図１８などを用いて説明する。
【００５４】
図１５，図１７，図１８は、上記カメラの各動作状態における横断面図であり、図１５は、バリア閉、かつ、レンズ鏡筒沈胴の状態での光軸を含む横断面を示し、図１６は、バリア閉、かつ、レンズ鏡筒沈胴の状態におけるレンズバリア／移動板当接部分を含む面（光軸より下方の面）の横断面を示し、図１７は、バリア開でレンズ鏡筒沈胴の状態での光軸を含む横断面を示し、図１８は、バリア開でレンズ鏡筒テレの状態での光軸を含む横断面を示す。
【００５５】
カメラ１がバリア閉状態、かつ、レンズ鏡筒沈胴状態である初期状態（完全沈胴状態）にあって、駆動モータ４１を始動させるとレンズ鏡筒３の繰り出しは行われず、駆動モータ４１の駆動によりバリア装置２の開放駆動が行われる。該バリア装置の開放駆動が終了すると、レンズ鏡筒３の繰り出しが開始される。なお、レンズ鏡筒３の進退駆動については、後で詳細に説明する。
【００５６】
以下、バリア開閉動作について詳しく説明すると、レンズ鏡筒が完全沈胴状態にあって、駆動リング２４が上記初期位置にある状態は、図１〜図３、または、図８〜図１１に示すようにバリア装置２は閉状態にあって、レンズバリア３３は、撮影レンズ（レンズ鏡筒の回転移動枠５２などを含む）の前面を覆う閉位置にある。
【００５７】
このバリア閉状態においては、スライダ２７は、従動ピン２７ｂが駆動リング２４の切り欠き部２４ｃに係合した状態でＸ方向右端位置に保持されている。バリアレバー２９は、トーションバネ３１の付勢力によってスライダ２７に左端部に対して時計回りに回動付勢されており、連動ピン３６を介して移動板３２を右方（Ｘ方向）に移動させている（図１０，図１１）。レンズバリア３３は、同様に右方向に移動した上記閉位置にある。レンズバリア３３に対して移動板３２が相対的に左側に移動していることから、レンズバリア３３は、バネ部３２ｄの付勢に抗して当接部３３ｃが移動板３２の凸部３２ｇ上に乗り上げた状態になっている（図１６）。
【００５８】
上述したレンズバリア３３が閉位置にあるとき、バリアキャップ３４を光軸Ｏ方向に押圧してもその押圧力はレンズバリア３３の当接部３３ｃの後面部が当接する凸部３２ｇで受けられるので、バリアキャップ３４，レンズバリア３３がカメラ側内方に沈み込むことはない（図１６）。一方、バリアキャップ３４が前メタルカバー７のレンズ開口部７ａに嵌り込み、バリアキャップ３４のフランジ部３４ｂが前メタルカバー７のレンズ開口部７ａの内面側に当て付き、バリアキャップ３４の前面が該レンズ開口部７ａまわりの前面と一致した状態に保持されている。
【００５９】
そこで、駆動モータ４１が正回転方向に回転すると、回転移動枠５２が初期回動位置（バリア閉／沈胴位置）Ｐ０からバリア開／沈胴位置Ｐ1に向けて回転を開始する（図２２）。その回転角θ０の範囲では、あとで説明するように回転移動枠５２は、繰り出されることなく回動するのみであり、また、レンズ鏡筒３の移動枠５３（図４）などの他の繰り出し可能な鏡枠部材すべてが繰り出されることなく回転移動枠５２が回動する。そして、繰り出しを始める位置に達する。上述した回転移動枠５２の回動に連動して回転軸２１が回転駆動され、前本体５の外側にある駆動リング２４が最も反時計回りに回動した初期位置から時計回りに回動する。
【００６０】
駆動リング２４の上記時計回りの回動に伴って従動ピン２７ｂを介して係合関係にあるスライダ２７が左方（Ｘ方向）にスライド移動を開始し、駆動リング２４が回転移動枠５２の回転角θ０に対応した連動回転角だけ回動すると、従動ピン２７ｂが駆動リング２４の切り欠き部２４ｃから外れて解放され、スライダ２７は、その左方移動端位置で停止する。
【００６１】
上述したスライダ２７の左方へのスライド移動によりバリアレバー２９は、トーションバネ３１のチャージ力で当接状態にあるスライダ２７の駆動ピン２７ｃとバリアレバー２９のカム部２９ｂとを介して押圧駆動され、反時計回りに回動する。その反時計回りの回動により移動板３２は、ガイド軸３５に沿って左方へスライド移動する。移動板３２の左方への移動の初期において、図１に示すようにバリアキャップ３４は、まだ前メタルカバー７のレンズ開口部７ａに嵌入しているので移動せず、移動板３２のみが所定量左方に移動する。
【００６２】
従って、移動板３２のバネ部３２ｄの付勢力でレンズバリア３３の当接部３３ｃが押圧されているので、移動板３２の凸部３２ｇの右側面を滑ってレンズバリア３３が移動板３２の前面と、が接触するようにＺ方向後方に降下する。同時にレンズバリア３３の斜面部３３ｄが移動板３２の舌片部３２ｆと接触する。このレンズバリア３３の移動板３２に対するＺ方向後方への相対移動によりバリアキャップ３４のレンズ開口部７ａとの嵌合が解放され、以後、移動板３２とともにレンズバリア３３，バリアキャップ３４は、一体的に左方に開位置に向けてスライド移動する。そのとき、レンズバリア３３は、移動板３２のバネ部３２ｄで後方の移動板側に付勢され、かつ、斜面部３３ｄが舌片部３２ｆの背面に接触しているので移動板３２から浮き上がることはなく、バリアキャップ３４は、前メタルカバー７の内方部を接触しない状態で左方に移動する（図１７）。
【００６３】
スライダ２７が上述した左方移動端位置に到達すると、レンズバリア３３およびバリアキャップ３４は、レンズ鏡筒３の移動軌跡外の位置、すなわち、前メタルカバー７のレンズ開口部７ａより退避した開位置、言い換えると撮影レンズの前面から退避した退避位置に位置する（図１２）。
【００６４】
上述した回転移動枠５２の回転角θ０の回動後、駆動モータ４１がさらに回転駆動され、回転移動枠５２が反時計回りに回転角θ１だけ回動すると、レンズ鏡筒３の回転移動枠５２および各進退可能な鏡枠部材の撮影可能な繰り出し位置への繰り出しが行われる。またさらに、回転移動枠５２が回転角θ２の範囲で回動すると、各進退可能な鏡枠部材は、ワイド位置からテレ位置に進退移動する。上述した回転移動枠５２の回転角θ１，θ２の範囲に対応して駆動リング２４も連動して時計回りに回動するが、その駆動リング２４の回動範囲では、スライダ２７の従動ピン２７ｂは、駆動リング２４の切り欠き部２４ｃから外れて、従動ピン２７ｂが駆動リング２４の外周部に当接した状態となる。このように従動ピン２７ｂが駆動リング２４の外周部に当接していることからスライダ２７は、上述した左方移動端位置に留まり、バリアレバー２９，移動板３２も停止し、レンズバリア３３とバリアキャップ３４も上記開位置に留まる。
【００６５】
レンズバリア３３が上記開位置にある状態では、最外周の回転移動枠５２をはじめ各進退可能な鏡枠部材がレンズバリア３３に干渉することなく、前メタルカバー７のレンズ開口部７ａを挿通して撮影可能位置へ繰り出される。
【００６６】
その後、カメラをレンズ鏡筒沈胴状態に戻し、レンズバリア３３を閉位置に移動させるには、まず、駆動モータ４１を逆転駆動し、回転移動枠５２をテレ位置から繰り込むため、回転角θ２、続いて、回転角θ１だけで時計回りに逆転回動駆動させる。その回転移動枠５２の逆移転駆動に連動して、駆動リング２４が対応した角度だけ反時計回りに回動駆動された時、スライダ２７の従動ピン２７ｂが突起部２４ｄで押圧され、駆動リング２４の切り欠き部２４ｃに再度、係合する。
【００６７】
続いて、回転移動枠５２の時計回りの回転角θ０に対応して駆動リング２４が反時計回りに回動されると、スライダ２７が右方向に移動に移動する。その移動時、スライダ２７の駆動ピン２７ｃとバリアレバー２９のカム部２９ｂとは、トーションバネ３１のチャージ力で当接した状態のままでバリアレバー２９が時計回りに回動する（つまり、トーションバネ３１のチャージ力でバリアレバー２９が従動して時計回りに回動する）。該回動により移動板３２，レンズバリア３３，バリアキャップ３４も共に右方向に移動する。
【００６８】
スライダ２７が右方向初期位置までスライド移動し、バリアキャップ３４の外径部の右端部３４ａが前メタルカバー７のレンズ開口部７ａの右端７ａ１に当接して、レンズバリア３３の右方向の移動は停止する。しかし、さらに移動板３２は所定量だけ右方向に移動する。そのとき、移動板３２に対して相対的に移動するレンズバリア３３の当接部３３ｃがバネ部３２ｄによるＺ方向後方への付勢力に抗して移動板３２の凸部３２ｇの右側方からその頂点部に乗り上げる。そこで、移動板３２は、レンズバリア３３の内面側右端段部に当接して停止する。
【００６９】
上記乗り上げ動作によりバリアキャップ３４の外径部が前メタルカバー７のレンズ開口部７ａに嵌入し、バリアキャップ３４の表面が前メタルカバー７の表面に一致した状態となり、バリア閉位置に戻される。
【００７０】
その後、駆動リング２４は、さらに僅かに反時計回りに回動し、スライダ２７のみをオーバーストロークさせてレンズバリア３３および移動板３２の上述したバリア閉位置への移動を確実に行わせて停止する。その停止状態では、トーションバネ３１は、僅かな量だけチャージされ、スライダ２７の駆動ピン２７ｃとバリアレバー２９のカム部２９ｂとの間が僅かに離間し、隙間が生じる。この時点で回転移動枠５２も上述した初期回動位置Ｐ０に戻る。
【００７１】
なお、バリア装置２において、図１４に示すようにバリア閉動作中にレンズバリア３３の右側から外力Ｇが作用してバリアの閉動作が阻止された場合、レンズバリア３３によって移動板３２が左方に押圧され、バリアレバー２９がトーションバネ３１を撓ませながら反時計回りに回動移動する。このトーションバネ３１の撓みによって、外力Ｇが吸収され、バリア装置２の変形や駆動モータ４１のギヤ系などの破損を防ぐことができる。
【００７２】
上述したバリア装置２の開閉動作において、バリアレバー２９の反時計回りの回動中は、バリアレバー２９のカム部２９ｂをスライダ２７の駆動ピン２７ｃで押圧することによってバリアレバー２９を回動駆動し、一方、バリアレバー２９の時計回りの回動中は、バリアレバー２９のカム部２９ｂがスライダ２７の駆動ピン２７ｃに従動、あるいは、わずかに離間する状態でバリアレバー２９が回動することから、上記動作中、トーションバネ３１の開き角度α（図９）が大きく変動することがない。言い換えると、トーションバネ３１のチャージ状態がほとんど変化しない。したがって、駆動モータ４１のバリア装置２の駆動のための消費エネルギは、駆動付勢用バネ部材のチャージ量の変化の大きい従来のバリア駆動装置に対してきわめて少なくなる。
【００７３】
次に、レンズ鏡筒３の構成について、図１や図４，図５の該レンズ鏡筒の分解斜視図を用いて説明する。
【００７４】
レンズ鏡筒３は、前本体５に固定支持される第１の枠である固定枠５１と、回転および進退移動が可能な第２の枠である回転移動枠５２と、回転が規制され、カム枠５５とともに直進移動が可能な移動枠５３と、回転が規制され、直進移動が可能な枠部材であり、カム枠５５により進退駆動される第１群枠５４と、回転および進退移動が可能な枠部材であり、直進枠５８によって進退駆動される第４の枠であるカム枠５５と、撮影レンズである第１群レンズ７１を保持する第１群レンズ保持枠７２を進退可能に支持し、第１群枠５４に固着支持されるフォーカス枠５６と、回転が規制され、進退駆動される枠部材であって、撮影レンズである第２群レンズ７３を保持する第２群レンズ保持枠７４を保持し、カム枠５５によって進退駆動される第２群枠５７と、回転が規制され、直進移動が可能な枠部材であり、回転移動枠５２とともに進退移動する第３の枠である直進枠５８と、第２群枠５７を直進ガイドする可動枠部材であるキーリング５９と、キーリング５９に貼付され、絞り装置を形成する絞り部材としてのフレア絞り６０および直進枠５８に貼付されるフレア絞り６９（図１８，１９）と、固定枠５１に固定支持されるＣＣＤ支持枠６１とを有してなる。
【００７５】
固定枠５１は、円筒形状の枠部材であり、その内周部に回転移動制御手段として第２の領域に配されるヘリコイドネジ（雌）５１ｂと、第１の領域の端部に配されるヘリコイドネジ（雌）端面５１ａと、ヘリコイドネジ５１ｂの前端側周方向に沿った円周挿通部５１ｉと、該円周挿通部と連通する３本の傾斜ガイド溝５１ｃと、該連通ガイド溝に連通する周方向に沿った第３の領域に配される３つの円周ガイド溝５１ｄとが設けられ、さらに、後端面開口部をもつ３本の直進ガイド溝５１ｅが設けられる。
【００７６】
また、固定枠５１の外方の一部に内周部に開口するギヤ室５１ｇと、その前方部に軸支穴５１ｈが設けられる。このギヤ室５１ｇには、軸部４４ａを軸支穴５１ｈに嵌入させ、他方の軸部４４ｂをＣＣＤ支持枠６１の軸支穴６１ｃに嵌入させた状態で鏡筒駆動ギヤ４４が回転可能に支持され、収納される。
【００７７】
固定枠５１の前端面外周部には防水用のＶ字断面を有する防水用シールリング６５が固着される。固定枠５１が前本体５に固定されるとき、防水用シールリング６５の外周部が前本体５の固定枠装着内周面に圧接される。
【００７８】
回転移動枠５２は、円筒形状の枠部材であり、その外周後方部の周上の一部分に平歯状の外周ギヤ部５２ａと、該外周上の他の部分に回転移動制御手段としてヘリコイドネジ（雄）５２ｂと、外周ギヤ部５２ａおよびヘリコイドネジ５２ｂに対してＺ方向前方側に離間して配される回転移動制御手段として３つの凸部５２ｃが設けられる。また、回転移動枠５２の内周後方部には、周方向に沿い、後方開口部をもつカム枠駆動手段であるバヨネット機構用の円周溝５２ｄと、該円周溝に対してＺ方向に所定距離離間した周上に後方開口部をもつバヨネット機構用の円周溝５２ｅと、後方開口部をもち、円周溝５２ｄに連続（連通状態）するカム枠駆動手段である２本の直進溝５２ｆと、円周溝５２ｄに連続（連通状態）し、かつ、円周溝５２ｅに交差しているＺ方向に沿ったカム枠駆動手段である１本の直進溝５２ｇとを有している（図２３）。円周溝５２ｄが直進溝５２ｇと連続する部分、言い換えると、連通する部分の時計回り方向溝壁面部５２ｈが設けられる（図２３）。
【００７９】
回転移動枠５２の外周部には、金属製のキャップ６２が嵌入され、接着される。また、回転移動枠５２の内周先端部には、Ｖ字断面の防水用シールリング６６が接着固定される。
【００８０】
移動枠５３は、円筒形状の枠部材であり、その外周後方部に直進ガイド凸部５３ａが設けられ、内周後方部に円周溝５３ｂと、直進ガイド溝５３ｄとが設けられる。
【００８１】
移動枠５３の外周部には、金属製のキャップ６３が嵌入され、接着される。また、移動枠５３の内周先端部には、Ｖ字断面の防水用シールリング６７が接着固定される。
【００８２】
第１群枠５４は、レンズ開口部を有する前方円環部が形成された円筒形状の枠部材であり、その外周後方部に直進ガイド凸部５４ｄが設けられ、内周後方部のピン穴５４ｅにカムフォロア５４ｃが固着される。第１群枠５４の円環部の内側にはフォーカス枠５６が上記円環部に設けられるビス挿通穴５４ｂを挿通したビスをビス穴５６ａに螺着して固定される。
【００８３】
フォーカス枠５６は、フォーカスモータ７０を含むフォーカシング駆動機構を内蔵し、また、上記フォーカシング駆動機構によって進退駆動される枠部材であって、第１群レンズ７１を保持する第１群レンズ保持枠７２を進退可能に支持している。
【００８４】
第１群枠５４の外周部には金属製のキャップ６４が嵌入され、接着され、上記前方円環部に飾り板６８が接着固定される。
【００８５】
カム枠５５は、円筒形状の枠部材であって、後方の段状外周部に光軸Ｏ方向に傾斜した側面および周方向に平行な側面を有する略平行四辺形断面をもつ、カム枠（第４の枠）回転制御手段である３つのカムフォロア５５ａと、カムフォロア５５ａの中心部に外方に突出する丸ピン状のカム枠駆動手段である３つのピン状カムフォロア５５ｂ０，５５ｂ１とが設けられる。上記段状外周部の前方にその先端部が上記段状外周部より低い、周方向に沿った３つのガイド凸部５５ｃが設けられる。前方外周部には、カム手段であるカム溝５５ｄが設けられ、内周後方部に円周溝５５ｅと内周部にカム手段であるカム溝５５ｆが設けられる。
【００８６】
フォーカス枠５６は、円形開口部を有する枠部材であって、上記円形開口部に第１群レンズ７１を保持する第１群レンズ保持枠７２が光軸Ｏ方向に進退可能な状態で挿入されている。また、フォーカス枠には、ステップモータからなるフォーカスモータ７０が装着されており、フォーカス駆動時に第１群レンズ保持枠７２を進退駆動する。
【００８７】
第２群枠５７は、内部に第２群レンズ７３を保持する第２群レンズ保持枠７４が組み込まれる枠部材であり、シャッタアクチュエータを含むシャッタ機構部およびフィルタアクチュエータを含むＮＤフィルタ機構部を内蔵している。この第２群枠５７には、外方に突出するカムフォロア５７ｂと、両側部にＺ方向に延びる直進溝５７ａとが設けられる。
【００８８】
キーリング５９は、リング形状の枠部材であって、移動方向（光軸Ｏ方向）に直交する平面上に中央開口部（内周部）５９ｅと外周部５９ａとを有し、外周部５９ａから外方に突出する３つの直進ガイド凸部５９ｂと、開口部５９ｅからＺ方向前方に延びる真直状の２本のキー部５９ｃとが設けられる。
【００８９】
フレア絞り６０は、ポリエステル材などのシート材からなる中央開口部６０ａをもつ変形可能な薄板リング形状の絞り部材であり、径方向に沿った切り込み６０ｂおよび周方向に沿った切り込み６０ｃを有している。このフレア絞り６０は、外周３カ所に凹状取り付け部６０ｄをキーリング５９の背面側３箇所のフレア絞り装着部５９ｄに接着して固定される。フレア絞り６０の面は、キーリング５９の背面側への装着状態でキーリング５９の移動方向（光軸Ｏ方向）と直交する平面である。
【００９０】
キーリング５９に取り付けられたフレア絞り６０は、後述するように中央開口部６０ａの周辺がＺ方向の前方、または、後方に他の枠部材で押圧された場合、切り込み６０ｂや６０ｃにて弾性変形することによって中央開口部６０ａ周辺が押圧方向に倣って変位し、キーリング５９の中央開口部５７ｅ中を前方に通り抜けたり、あるいは、他の相対移動する枠部材の中央凸状部で中央開口部６０ａ周辺を押して後方に移動させたりすることも可能である。
【００９１】
直進枠５８は、円筒形状の枠部材であって、後端フランジ部には外周に突出する直進ガイド凸部５８ａが設けられ、後端フランジ外周部寄りの円筒部には、径方向および周方向に沿って延びた５つのバヨネット爪となる凸部５８ｂが設けられ、さらに、凸部５８ｂの周方向位置からＺ方向の所定距離離れた位置に径方向および周方向に沿って延びた１つのバヨネット爪となる凸部５８ｃが設けられる。
【００９２】
なお、５つの凸部５８ｂと１つの凸部５８ｃとは、必要に応じて円周上の要所に分散して配置されており、回転移動枠５２や直進枠５８にスラスト力が作用した場合に直進枠５８、あるいは、回転移動枠５２の変形や傾きが防止され、あるいは、破損が防止される。
【００９３】
また、直進枠５８の後端面には、シート部材からなるフレア絞り６９が貼付されている。このフレア絞り６９は、フレア絞り６０と異なり、レンズ鏡筒３の進退動作時、変形することはない。
【００９４】
直進枠５８の円筒部には、内外周を貫通する溝であって、レンズ駆動用円周カム手段であって、カム枠（第４の枠）空転領域を与える円周カム溝部５８ｅ、および、繰り出しカム手段であって、カム枠（第４の枠）駆動領域を与える傾斜カム溝部５８ｆとからなるカム枠（第４の枠）回転制御手段である３本のカム溝５８ｄが設けられる。内周部には、後方に開口する３つの直進ガイド溝５８ｈと、前方に開口する３本の直進ガイド溝５８ｇとが設けられる。
【００９５】
ＣＣＤ支持枠６１は、撮像素子であって、外光を検出するセンサとしても機能するＣＣＤ８２および光学フィルタ８１を保持するＣＣＤ支持板が固着され、ＣＣＤ８２および光学フィルタ８１の前方に配されるＣＣＤ開口部６１ａと固定枠５１の後方内周部に嵌合する嵌合部６１ｂを有している。
【００９６】
次に、上述したレンズ鏡筒３の各構成部材の組み付け、嵌合状態について説明する。
【００９７】
なお、表１は、レンズ鏡筒３の組み付け状態において、各構成部材が互いに係合、または、嵌合する関係にある対応部分を示したものであり、表中、（）内符号は、図４および図５の（）中に記載された符号であり、各構成部材間で互いに係合／嵌合する部分を同一符号で示すものである。
【表１】
2011022415.tif 000003
【００９８】
まず、直進枠５８には、カム枠５５、第１群枠５４，第２群枠５７，キーリング５９，移動枠５３が組み付け嵌合される。
【００９９】
詳しくは、第１群枠５４は、カム枠５５の外周部に相対回転，進退が可能な状態でカムフォロア５４ｃをカム枠５５のカム溝５５ｄに摺動可能に嵌め込んだ状態で嵌入する。第１群枠５４に固着されているフォーカス枠５６は、カム枠５５の内周部に挿入される。第２群枠５７は、カムフォロア５７ｂをカム溝５５ｆに摺動可能に嵌め込んだ状態でカム枠５５の内周部に相対回動，進退可能に嵌入する。
【０１００】
キーリング５９は、カム枠５５の後方からその内周部に挿入され、外周部５９ａをカム枠５５の内周の円周溝５５ｅに回転可能な状態で嵌入し、さらに、キー部５９ｃは第２群枠５７の直進溝５７ａに摺動可能に嵌入する。
【０１０１】
カム枠５５は、直進枠５８の内周に後方からカム枠５５の上記段状外周部を嵌合させて相対回動，進退可能な状態で嵌入する。そして、カム枠５５のカムフォロア５５ａは、カム溝５８ｄに摺動可能に嵌入する。
【０１０２】
移動枠５３は、第１群枠５４の前方から直進ガイド溝５３ｄに第１群枠５４の直進ガイド凸部５４ｄを摺動可能に嵌入させた状態で相対的に進退可能に嵌合し、さらに、移動枠５３の円周溝５３ｂにカム枠５５のガイド凸部５５ｃが摺動可能に嵌入する。そして、移動枠５３の直進ガイド凸部５３ａは、直進枠５８の直進ガイド溝５８ｇに摺動可能に嵌入する。直進枠５８の直進ガイド溝５８ｈには、キーリング５９の直進ガイド凸部５９ｂが摺動可能に嵌入させる。したがって、キーリング５９は、直進枠５８に対して回動が規制され、進退可能な状態で支持される。
【０１０３】
カム枠５５などが組み付けられ、挿入された直進枠５８は、回転移動枠５２の内周に後方から挿入され、直進枠５８の凸部５８ｂを円周溝５２ｄに、凸部５８ｃを円周溝５２ｅにそれぞれ摺動可能に嵌入させた状態で回転移動枠５２に相対的に回動可能に、かつ、Ｚ方向（光軸Ｏ方向）には一体的移動可能に嵌合する。その嵌合状態でカム枠５５の２つのピン状カムフォロア５５ｂ０は、まず、回転移動枠５２の円周溝５２ｄに摺動可能に嵌入し、さらに、回転移動枠５２の相対回転によって直進溝５２ｆ側に進入可能となる。また、カム枠５５の１つのピン状カムフォロア５５ｂ１は、まず、回転移動枠５２の円周溝５２ｄに摺動可能に嵌入し、回転移動枠５２の相対回転によって直進溝５２ｇ側に進入可能な状態で嵌合する。
【０１０４】
直進枠５８などが組み付けられた回転移動枠５２は、固定枠５１の内周にヘリコイドネジ５２ｂとヘリコイドネジ５１ｂを螺合させた状態で回動，進退可能に嵌入する。また、回転移動枠５２の凸部５２ｃは、固定枠５１の傾斜ガイド溝５１ｃおよび円周ガイド溝５１ｄに摺動可能に嵌合する。さらに、固定枠５１の直進ガイド溝５１ｅに直進枠５８の直進ガイド凸部５８ａが摺動可能に嵌入する。
【０１０５】
そして、回転移動枠５２の外周ギヤ部５２ａには鏡筒駆動ギヤ４４が噛合し、回転移動枠５２が鏡筒駆動ギヤ４４によって回動駆動される。
【０１０６】
回転移動枠５２などが組み込まれた固定枠５１の後方内周部５１ｆには、光学フィルタ８１，ＣＣＤ８２が装着されたＣＣＤ支持枠６１が嵌合部６１ｂを嵌入させて固着される。
【０１０７】
なお、レンズ鏡筒３のまわりの防水構造としては、固定枠５１と前本体５との間の接合部、および、固定枠５１と回転移動枠５２のキャップ６２との間の摺動部は、固定枠５１の先端に固着される防水用シールリング６５によって防水シールがなされ、回転移動枠５２の内周部と移動枠５３のキャップ６３との間の摺動部は、回転移動枠５２の先端に固着される防水用シールリング６６によって防水シールがなされ、さらに、移動枠５３の内周部と第１群枠５４のキャップ６４との間の摺動部は、移動枠５３の先端に固着される防水用シールリング６７によって防水シールがなされ、レンズ鏡筒３と固定枠５１の間が防水状態となる。
【０１０８】
上述したレンズ鏡筒３において、回転移動枠５２は、鏡筒駆動ギヤ４４によって回転駆動された場合、固定枠５１に対してバリア駆動するための初期の期間に所定の角度だけ進退することなく回動後、ヘリコイドネジ５１ｂによって繰り出され、繰り出された位置で回動する。この回転移動枠５２の回動によって、以下のように各鏡枠の進退、または、回動が行われる。
【０１０９】
直進枠５８は、固定枠５１によって直進ガイド溝５１ｅによって回転規制された状態で回転移動枠５２とともに直進進退移動する。移動枠５３は、直進ガイド溝５８ｇによって回転規制された状態で、回転、かつ、進退移動するカム枠５５のガイド凸部５５ｃを介してその進退移動と一体の状態で進退する。
【０１１０】
カム枠５５は、回転移動枠５２が上記初期の所定角度回動する間、不動状態であるが、その後、回転移動枠５２が回動すると直進枠５８のカム溝５８ｄによって回転しながら進退移動する。第１群枠５４は、移動枠５３の直進ガイド溝５３ｄによって回転規制された状態でフォーカス枠５６と一体にカム枠５５のカム溝５５ｄにより進退駆動される。第２群枠５７は、直進枠５８の直進ガイド溝で回動規制され，かつ、直進枠５８と一体に進退するキーリング５９によって回動が規制され、カム枠５５のカム溝５５ｆによって進退駆動される。
【０１１１】
ここで、レンズ鏡筒３の鏡枠進退動作時におけるフレア絞り６０の変形状態について、図１，図１９〜図２１を用いて説明する。
【０１１２】
なお、図１９は、上記カメラのレンズ鏡筒のワイド状態における光軸を含む縦断面図である。図２０，図２１は、上記レンズ鏡筒に適用されるキーリング５９とフレア絞り６０の斜視図であり、図２０は、上記フレア絞りの中央開口部周辺が前方に押し出された状態を示し、図２１は、上記フレア絞りの中央開口部周辺が後方に押し出された状態を示す。
【０１１３】
カム枠５５の後方部に嵌入されているキーリング５９の背面部にはフレア絞り６０が貼り付けられている。図１に示すようにレンズ鏡筒３が沈胴状態にあるときは、キーリング５９の開口部５９ｅ内方にＣＣＤ支持枠６１の開口部６１ａ周辺の凸部が進入している。そのとき、フレア絞り６０は、図２０に示すようにフレア絞り６０の切り込み部６０ｂが変形し、同時に周方向に切り込まれた切り込み部６０ｃによって形成される梁状部６０ｅ，６０ｆも変形してフレア絞り中央開口部６０ａの周辺が前方に変位してキーリング５９の開口部５９ｅを通り抜け可能であることから、上述したＣＣＤ支持枠６１の開口部６１ａ周辺の凸部がキーリング５９の開口部５９ｅへの進入が可能となる。
【０１１４】
また、図１９に示すようにレンズ鏡筒３がワイド状態にあるときは、キーリング５９よりも後方に第２群枠５７の後端面が出る状態になる。その状態でフレア絞り６０は、図２１に示すようにフレア絞り６０の切り込み部６０ｂが変形し、同時に切り込み部６０ｃによって形成される梁状部６０ｅ，６０ｆも変形してフレア絞りの中央開口部６０ａの周辺が後方に変位する。この変位のより前述したようにキーリング５９の開口部５９ｅより後方に第２群枠５７の後端面が出る状態を許容する。
【０１１５】
次に、カメラ１における上述した構成を有するレンズ鏡筒３の進退動作をバリア装置２の開閉動作に合わせて図１，図１５〜図１９，図２２〜２４などを用いて説明する。
【０１１６】
図２２（Ａ），（Ｂ），（Ｃ）は、上記レンズ鏡筒の固定枠の内周面と鏡筒駆動ギヤとの展開図に上記回転移動枠の外周ギヤ部，ヘリコイドネジ（雄），凸部の部分展開図を重ねて示す内周側から見た作動状態展開図であり、図２２（Ａ）は、上記カメラがバリア閉、レンズ鏡筒沈胴状態にある駆動初期時のレンズ鏡筒の状態を示し、図２２（Ｂ）は、上記カメラがバリア開、レンズ鏡筒沈胴状態、および、レンズ鏡筒繰り出し状態（ワイド状態）にある時のレンズ鏡筒の状態を示し、図２２（Ｃ）は、上記カメラがレンズ鏡筒ワイド状態からテレ状態に変化した時のレンズ鏡筒の状態を示す。図２３は、上記レンズ鏡筒の回転移動枠の内周部の展開図にカム枠のカムフォロアおよび直進枠のカム溝を重ねて示す内周側から見た作動状態展開図であって、バリア閉／沈胴状態からバリア開／沈胴状態、バリア開／繰り出し初期状態、バリア開／繰り出し終了状態、さらに、バリア開／ズーム状態（テレ状態）を示す図である。図２４は、上記レンズ鏡筒のカム枠のカムフォロアおよびカム溝を外周から見た展開図である。
【０１１７】
カメラ１を図１，図１５に示すバリア閉、かつ、レンズ鏡筒沈胴状態から沈胴状態を維持してバリア開状態にするには、駆動モータ４１を正転駆動し、鏡筒駆動ギヤ４４を介して回転移動枠５２を初期位置（バリア閉／沈胴状態位置）Ｐ０から反時計回りに角度θ０（第１の領域）だけ回転させる（図４のＤ１方向回動）。そのとき、駆動リング２４も回転移動枠５２の角度θ０に対応する角度だけ連動して駆動され（図２のＤ３方向回動）、前述したようにバリア装置２のレンズバリア３３が図１，図１５に示す閉位置（保護位置）から図１７に示す開位置（退避位置）に移動する。
【０１１８】
レンズ鏡筒３側は、図２２（Ａ）の初期位置Ｐ０にあって固定枠５１のヘリコイドネジ（雌）５１ｂと非螺合状態にある回転移動枠５２が反時計回りに角度θ０（第１の領域）だけ回動して図２２（Ｂ）に示すバリア開／沈胴状態位置Ｐ1に達すると、ヘリコイドネジ（雄）５２ｂがヘリコイドネジ（雌）端面５１ａに接触する状態となる。上記角度θ０の回動範囲では、ヘリコイドネジ５２ｂがまだ螺合状態にないので回転移動枠５２の光軸Ｏ方向の繰り出しはなされない（沈胴位置のまま）。
【０１１９】
一方、回転移動枠５２が初期位置Ｐ０にあるとき、直進枠５８の５つの凸部５８ｂと１つの凸部５８ｃが常時、摺動可能に嵌入している回転移動枠５２の円周溝５２ｄおよび５２ｅには、さらに、カム枠５５のピン状カムフォロア５５ｂ０，５５ｂ１がそれぞれ嵌入している（図２３の回転移動枠５２（Ｐ０）の状態）。そこで、回転移動枠５２が角度θ０だけ回動すると（位置Ｐ１まで回動）、ピン状カムフォロア５５ｂ０の方は、円周溝５２ｄ上を相対移動して回転移動枠５２の直進溝５２ｆと光軸方向において対向する状態となる。一方、ピン状カムフォロア５５ｂ１方は、円周溝５２ｄを相対的に移動し、円周溝５２ｄの溝壁面５２ｈに接触し、該壁面に連なる回転移動枠５２の直進溝５２ｇと光軸方向において対向する状態となる（図２３の回転移動枠５２（Ｐ１）の状態）。
【０１２０】
上述した回転移動枠５２が角度θ０だけ回動するとき、カム枠５５のピン状カムフォロア５５ｂ０，５５ｂ１は、円周溝５２ｄ上にあるのでカム枠５５の光軸Ｏ方向の移動はない。また、カム枠５５の直進枠５８に対する回動もなされないので、カム枠５５のカムフォロア５５ａは、直進枠５８のカム溝５８ｄの傾斜カム溝部５８ｆの後方端部に止まっている。従って、直進枠５８の光軸Ｏ方向の移動もなく、第１群枠５４の進退移動もない。言い換えると、レンズ鏡筒３の全鏡枠部材の光軸Ｏ方向の繰り出しがなされず、沈胴位置に留まり、レンズバリア３３の繰り出し動作には支障がない。
【０１２１】
続いて、回転移動枠５２がバリア開／沈胴状態位置Ｐ1から反時計回りにバリア開／繰り出し終了位置Ｐ２に向けて回動駆動された場合、すなわち、回転角θ１の回動範囲（第２の領域）に入ると、回転移動枠５２は、ヘリコイドネジ（雄）５２ｂがヘリコイドネジ（雌）端面５１ａに当接して繰り出し方向の力を受けるので、ヘリコイドネジ（雄）５２ｂがヘリコイドネジ（雌）５１ｂに螺合する状態となり、回転移動枠５２が光軸Ｏ方向に回転しながら繰り出しを開始する（図２２（Ｂ））。図２２（Ｂ）に示すＨ方向は、回転移動枠５２の展開図上における移動方向を示している。
【０１２２】
なお、直進枠５８の凸部５８ｂ，５８ｃが回転移動枠５２の円周溝５２ｄ，５２ｅに嵌入しているので非回転状態の直進枠５８も回転移動枠５２とともに繰り出される。この繰り出し開始時、すでにレンズバリア３３は図１７に示すように開位置（退避位置）に移動しているのでレンズ鏡筒の繰り出しには支障がない。
【０１２３】
一方、回転移動枠５２の上記回動駆動によりピン状カムフォロア５５ｂ１が回転移動枠５２の直進溝５２ｇ端部の溝壁面５２ｈによって反時計回りの回転力を受け、カム枠５５が回転移動枠５２と一体になって反時計回りに回動を開始する（図２３の回転移動枠５２（Ｐ１）の状態）。カム枠５５の反時計回りの回動開始によってカムフォロア５５ａが直進枠５８のカム溝５８ｄのうちの傾斜カム溝部５８ｆ上のカム枠駆動領域を摺動し、カム枠５５の直進枠５８に対する相対的な光軸Ｏ方向への繰り出しが開始される。また、同時にカム枠５５にガイド凸部５５ｃで連結されている移動枠５３も非回転状態で光軸Ｏ方向へ繰り出される。
【０１２４】
なお、カム枠５５の回動開始によりカム溝５５ｄとカムフォロア５４ｃを介して第１群枠５４，フォーカス枠５６がワイド位置に向け、カム枠５５に対する相対的な繰り出しを開始し、また、カム溝５５ｆとカムフォロア５７ｂを介して第２群枠５７がワイド位置に向け、カム枠５５に対する相対的な繰り込みを開始する（図２４）。
【０１２５】
上記カム枠５５の繰り出し開始によってピン状カムフォロア５５ｂ１は、回転移動枠５２の直進溝５２ｇに進入し、同時にピン状カムフォロア５５ｂ０も回転移動枠５２の直進溝５２ｆに進入する。それ以後は、ピン状カムフォロア５５ｂ１と５５ｂ０とが回転移動枠５２の直進溝５２ｇと５２ｆによる回動駆動力を共に受けてカム枠５５が反時計回りに回動され、カムフォロア５５ａが直進枠５８の傾斜カム溝部５８ｆ上を摺動し続ける。
【０１２６】
回転移動枠５２が回転角θ１の範囲内であって、バリア開／沈胴状態位置Ｐ１から回転角θａだけ回動し、カム枠５５が繰り出し量Ｓ０だけ繰り出されたとき（図２３の回転移動枠５２（Ｐ１〜Ｐ２）の状態）、回転移動枠５２の直進溝５２ｇに進入しているピン状カムフォロア５５ｂ１が、直進溝５２ｇの円周溝５２ｅとの交差部分に到達する。そのとき、他の方のピン状カムフォロア５５ｂ０が交差部分のない直進溝５２ｆでガイドされているのでピン状カムフォロア５５ｂ１が直進溝５２ｇから逸脱することなく、正常なカム枠５５の回動、繰り出しが続行される。
【０１２７】
回転移動枠５２が回転角θ１の範囲（第２の領域）だけ回動し、バリア開／繰り出し終了位置Ｐ２（言い換えるとワイド位置）に到達すると、回転移動枠５２のヘリコイドネジ５２ｂが固定枠５１のヘリコイドネジ５１ｂとの螺合状態を通過して円周挿通部５１ｉに達する（図２２（Ｂ））。回転移動枠５２の外周ギヤ部５２ａも同様に円周挿通部５１ｉに達する。さらに、回転移動枠５２の凸部５２ｃは、固定枠５１の傾斜ガイド溝５１ｃを通過して円周ガイド溝５１ｄの端部（入り口）に達する。なお、直進枠５８も回転移動枠５２とともに光軸Ｏ方向に繰り出されている。
【０１２８】
一方、カム枠５５のカムフォロア５５ａは、直進枠５８の傾斜カム溝部５８ｆの終端、すなわち、円周カム溝部５８ｅの端部（入り口）に達し（図２３の回転移動枠５２（Ｐ２）の状態）、カム枠５５は、直進枠５８に対して（従って、回転移動枠５２に対しても）相対的に繰り出し量Ｓ１だけ繰り出される。移動枠５３もカム枠５５とともに繰り出される。
【０１２９】
また、図２４のカム溝展開図に示すようにカム枠５５のカム溝に係合しているカムフォロア５４ｃ，５７ｂが回転移動枠５２の回転角θ1の範囲だけカム溝５５ｄ，５５ｆ上を摺動し、第１群枠５４，フォーカス枠５６がワイド位置まで繰り出され、同時に第２群枠５７がワイド位置まで繰り込まれる。
【０１３０】
カメラ１は、上述したように回転移動枠５２の回転角θ０（第１の領域）の回動によりレンズバリア３３を開放した後、回転移動枠５２の回転角θ１（第２の領域）の回動によって各鏡枠部材が進退駆動され、レンズ鏡筒３が沈胴状態から撮影可能な繰り出し状態（ワイド繰り出し状態）にセットされる（図１９）。
【０１３１】
続いて、図２２（Ｃ）に示すように回転移動枠５２がバリア開／繰り出し終了位置Ｐ２からバリア開／ズーム（テレ端）位置Ｐ３に向けてさらに回転角θ２の範囲（第３の領域）を回動駆動された場合、回転移動枠５２の凸部５２ｃは、固定枠５１の円周ガイド溝５１ｄに進入し、ガタのない状態で摺動移動する。また、ヘリコイドネジ５２ｂおよび外周ギヤ部５２ａは、固定枠５１の円周挿通部５１ｉ中を移動する。
【０１３２】
回転移動枠５２が上述のように凸部５２ｃが固定枠５１上の円周ガイド溝５１ｄに沿ってガイドされて回動した場合、回転移動枠５２は、光軸Ｏ方向に進退移動することなく回動する。直進枠５８も回転移動枠５２とともに光軸Ｏ方向に進退移動することなく保持される。
【０１３３】
一方、カム枠５５は、カムフォロア５５ａが直進枠５８の円周カム溝部５８ｅに進入し、ガタのない状態で摺動移動することから回転移動枠５２とともに直進枠５８に対して進退することなく、言い換えれば、空転領域上を光軸Ｏ方向に進退移動することなく回動する。
【０１３４】
上述したようにカム枠５５が進退しない状態で回転移動枠５２，カム枠５５が回転角θ２の範囲を回動した場合、図２４に示すように第１群枠５４のカムフォロア５４ｃがカム枠５５のカム溝５５ｄを摺動移動し、ワイド位置からテレ位置への第１群枠５４の進退が行われる。同時に第２群枠５７のカムフォロア５７ｂがカム枠５５のカム溝５５ｆを摺動移動し、ワイド位置からテレ位置への第２群枠５７の進退が行われる。図１８は、レンズ鏡筒３がテレ位置に繰り出された状態を示している。
【０１３５】
上述した撮影可能状態にあるカメラ１をワイド状態から沈胴状態に戻し、さらに、バリア閉状態にする場合は、駆動モータ４１を逆転駆動させ、図２２Ｂに示す回転移動枠５２を位置Ｐ２から位置Ｐ１まで回転角θ１だけ時計回りに回動させながら沈胴位置に繰り込むと、他の鏡枠部材も同様に沈胴位置に繰り込まれる。その回動期間中、前述したバリア装置２の駆動リング２４も反時計回りに連動して回動するが、この回動範囲ではスライダ２７が駆動リング２４に係合されていないので左方移動位置に止まり、レンズバリア３３は、開状態を維持している。
【０１３６】
さらに、駆動モータ４１を逆転駆動すると、回転移動枠５２が図２２Ａに示すバリ開／沈胴位置Ｐ１からバリア閉／沈胴位置Ｐ０まで時計回りに回転角θ０だけ回動する。同時に駆動リング２４がさらに反時計回りに回動するのでスライダ２７が右方へのスライド移動を開始し、レンズバリア３３が前述した閉位置（保護位置）に移動する。この回転移動枠５２の時計回りの回転角θ０の回動によりカメラ１は、初期状態であるバリア閉／レンズ鏡筒沈胴状態に戻される。
【０１３７】
上述した本実施の形態のバリア付きカメラ１は、防水カメラとして機能するが、前述したように前本体５の前面と前メタルカバー７との間のスペ−スにレンズバリアを開閉するバリア装置２が配置され、バリア装置２を駆動するための回転軸２１は、前本体５の貫通軸穴５ｅを貫通して外部のバリア装置２側に突出して配置される。バリア装置２は、特に防水する必要がない部材で構成されており、特に防水の必要はない。一方、カメラ１の駆動源などがその内部に配される前本体５と後本体６とは、周囲の接合部および貫通軸穴５ｅを防水することによって防水状態とすることができる。特に貫通軸穴５ｅは、該穴部に嵌入される回転軸２１の外径部に装着されるＯリング２２によって防水シールされ、前本体５の内部を確実に防水状態とすることができる。
【０１３８】
ところで、本実施の形態のバリア付きカメラ１は、図３に示すように、前本体５に形成された孔部５ｐに、測光センサ３７が前本体５の前面において、前メタルカバーに設けられた開口７ｂを介して、露出するように配置される。この測光センサ３７は、外光を受光して検出する受光センサを構成している。また、前本体５の上方縁辺部には、本実施の形態における第１の操作部材である電源スイッチ４６と、シャッタボタン４７と、レンズ鏡筒３を伸縮操作して所望のワイド状態、及びテレ状態を設定するズームレバー４８が配設されている（図２５）。
【０１３９】
なお、後メタルカバー９には、図２５に示すように、撮影画像を表示するＬＣＤ（液晶モニタ）３８と、撮影モードなどを切替えるモードスイッチのモードダイヤル７５と、メニューボタン７６と、再生ボタン７７と、露出補正などを操作する十字ボタン７８と、ＯＫ（ファンクション）ボタン７９と、メモリ内に格納された画像データ消去などを操作するボタン８３と、ＬＣＤ３８の表示切替などを操作するボタン８４と、が配設されている。また、図２５は、図１のカメラの背面図である。
【０１４０】
以上のように構成されたカメラ１は、図２６に示すように、周知のＣＰＵ，ＲＯＭ、タイマ（いずれも不図示）などを備えた制御手段としての制御部９１が内蔵されている。なお、図２６は、カメラ内の電気的な構成を示すブロック図である。
【０１４１】
この制御部９１は、鏡枠駆動回路９３、ＣＣＤ駆動回路９４、Ａ/Ｄ変換回路９６、及びＳＤＲＡＭ（ワークメモリ）９７、センサ駆動回路９２、画像信号処理回路９８などが接続されている。また、制御部９１は、第１の操作部材である電源スイッチ４６、第２の操作部材であるＯＫボタン７９、第３の操作部材であるモードダイヤル７５、各種ボタン８３，８４（図２６では不図示）などが接続されている。
【０１４２】
ＣＣＤ駆動回路９４は、電気的に接続されたＣＣＤ８２を駆動制御する。ＣＣＤ８２は、
光電変換したアナログ画像信号をＡ/Ｄ変換回路９６に出力する。このＡ／Ｄ変換回路９６により、デジタル化されたデジタル画像信号は、ＳＤＲＡＭ９７に出力されて一時記録される。そして、ＳＤＲＡＭ９７に一時記録されたデジタル画像信号は、画像信号処理回路９８によって、信号処理が施され、ＬＣＤ３８に表示する最適な表示用画像データ化がされる。
【０１４３】
また、この表示用画像データは、画像信号処理回路９８と電気的に接続された記録媒体スロット１４（図１）へ着脱自在なＳＤ（登録商標）、ｘＤピクチャーカード（登録商標）などの記録媒体のメモリカード９９へ格納（記憶）される。また、画像信号処理回路９８は、メモリカード９９に格納された表示用画像データを再読込みして、読込んだ表示用画像データをＬＣＤ３８に表示用画像信号として出力することもできる。
【０１４４】
鏡枠駆動回路９３には、電流検出回路９５が接続されている。この電流検出回路９５は、バリア装置２、及びズーム駆動ユニット４を鏡枠駆動回路９３が駆動したとき、なんらかの不具合、例えば、鏡筒移動が出来ていないなどの不具合がバリア装置２、ズーム駆動ユニット４に生じたときに、それを検出するためのものである。つまり、鏡枠駆動回路９３は、バリア装置２、及びズーム駆動ユニット４を駆動制御する。
【０１４５】
センサ駆動回路９２は、受光センサである測光センサ３７が接続されている。測光センサ３７は、ここでは、上述したように外光を検出して、センサ駆動回路９２を介して、検出信号を制御部９１へ出力する。
【０１４６】
ここで、制御部９１が実行する電源ＯＮ時の制御例について、図２６、図２７などを用いて説明する。なお、図２７は、制御部が実行する電源ＯＮ時の制御処理を示すフローチャートである。
【０１４７】
本実施の形態のカメラ１の制御部９１は、電源スイッチ４６が押下されると、図２７に示すフローチャートに従って各処理を実行する。  
制御部９１は、電源スイッチ４６が押下（ＯＮ）されて起動すると、バリア装置２のレンズバリア３３をバリア開状態に制御する（ステップＳ１）。すなわち、電源スイッチ４６が押下されると、制御部９１に電源スイッチ４６から信号が入力されて、カメラ１の電気的な構成要素が起動する。
【０１４８】
このとき、制御部９１は、鏡枠駆動回路９３に制御信号を出力し、鏡枠駆動回路９３が電流検出回路９５にモニタされながら、ズーム駆動ユニット４に駆動電流を供給する。これによって、最初にレンズ鏡筒３を繰り出さずに、バリア装置２のレンズバリア３３は、上述したように、閉位置（遮蔽位置、図１，図１５）から開位置（退避位置、図１７）に移動する。
【０１４９】
次に、制御部９１は、撮像素子であるＣＣＤ８２によって検出する外光（被写体輝度）が所定レベル以上であるか否かの判定を行なう（ステップＳ２）。ここでは、バリア装置２のレンズバリア３３が開状態となることで、レンズ鏡筒３を介して、入射される光をＣＣＤ８２が測光して、制御部９１がＣＣＤ８２により所定レベル以上の外光が検出されているか否かを判定する。
【０１５０】
このとき、上述したように、ＣＣＤ８２により検出した外光が光電変換され、Ａ/Ｄ変換回路９６、ＳＤＲＡＭ９７、及び画像信号処理回路９８を介して、表示用画像信号化された信号が制御部９１に出力される。そして、制御部９１は、画像信号処理回路９８から入力された表示用画像信号が所定レベル以上の信号強度であるか否かを判定している。
【０１５１】
このステップＳ２の処理において、ＣＣＤ８２によって検出した外光（被写体輝度）が所定レベル未満、つまり、表示用画像信号化された信号強度が所定レベル未満であった場合、制御部９１は、ＬＣＤ３８に警告表示させる（ステップＳ３）。なお、所定レベル未満の外光とは、ここでは、例えば、ＣＣＤ８２により外光が検出されない状態である。また、所定レベル未満の外光は、例えば、ＣＣＤ８２により、ある程度の外光が検出されるものの、ストロボ発光などが必要な暗状態としても良い。
【０１５２】
ステップＳ３において、制御部９１は、画像信号処理回路９８に警告表示信号を出力し、ＬＣＤ３８に、「撮影光量が足りません。」、「モードダイヤルを夜間撮影モード（夜景、暗環境モード）にしてください。」、「このまま撮影するときは、電源スイッチを長押ししてください。」などのメッセージを表示させる。
【０１５３】
一方、ステップＳ２の処理において、ＣＣＤ８２によって検出した外光（被写体輝度）が所定レベル以上、つまり、表示用画像信号化された信号強度が所定レベル以上であった場合、制御部９１は、ズーム駆動ユニット４の駆動を継続し、後述する、ステップＳ８の鏡筒セットアップの開始の処理に移行する。
【０１５４】
ステップＳ３の次に、制御部９１は、電源スイッチ４６が押下されるＯＮ操作がなされているか否かを判定する（ステップＳ４）。そして、制御部９１は、ステップＳ４の処理において、電源スイッチ４６がＯＮ操作（押下）されているかどうか判断し、ＯＮされていれば、電源スイッチ４６が予め設定された所定時間の間、押下されているかの計時を開始するためステップＳ５に進む。ステップＳ５では、タイマー（計時）を開始させる。電源スイッチ４６がＯＮされていれば、ステップＳ７に進み、上記所定時間が経過したかどうかを判断する。上記所定時間が経過していなければ、ステップＳ６に戻り、計時を継続する。ここでは、例えば、所定時間が１秒に設定されていた場合、制御部９１により、ステップＳ５の計時開始から電源スイッチ４６が１秒以上、長押しされているかの判定が実行される。
【０１５５】
なお、これらステップＳ４、及びステップＳ６の各処理において、電源スイッチ４６がＯＮ操作されていない場合、制御部９１は、ズーム駆動ユニット４を駆動して、バリア装置２のレンズバリア３３を閉位置（遮蔽位置、図１，図１５）に位置させ（ステップＳ１２）、全ての処理を終了し、強制的に電源を切る（ＯＦＦ）。
【０１５６】
ステップＳ７において、電源スイッチ４６がＯＮ操作され続けている状態（長押し状態）が所定時間（１秒以上）経過した場合、制御部９１は、レンズ鏡筒３のセットアップを開始する（ステップＳ８）。なお、上述のステップＳ２の処理において、上述したように、ＣＣＤ８２によって検出した外光が所定レベル以上であった場合にも、制御部９１は、ステップＳ８に移行して、その後の処理を実行する。
【０１５７】
このステップＳ８において、制御部９１は、鏡枠駆動回路９３に制御信号を出力し、鏡枠駆動回路９３は電流検出回路９５でモニタされながら、ズーム駆動ユニット４に駆動信号を出力する。ここでは、ズーム駆動ユニット４の駆動モータ４１に所定の駆動電流が供給される。そして、カメラ１は、上述したように、駆動モータ４１により、鏡筒駆動ギヤ４４と回転移動枠５２（図４）を介してレンズ鏡筒３の収納状態（沈胴状態である短縮状態）から撮影状態（設定された所定のセットアップ位置まで繰り出された伸長状態）までの回動進退駆動が行われる。
【０１５８】
この駆動モータ４１に駆動電流を供給しているとき、制御部９１は、ズーム駆動ユニット４への供給している駆動電流値が過電流値となっているか否かを判定する（ステップＳ９）。
【０１５９】
このステップＳ９において、制御部９１には、電流検出回路９５が検出した、ズーム駆動ユニット４の駆動モータ４１を駆動している駆動電流値が入力される。そして、制御部９１は、電流検出回路９５から入力された駆動電流値が設定された所定の電流値以下であった場合、初期の撮影状態となる設定された所定のセットアップ位置の伸長状態までレンズ鏡筒３が移動したか否かの判定をする（ステップＳ１０）。
【０１６０】
なお、ステップＳ９において、制御部９１は、ズーム駆動ユニット４へ供給している駆動電流値が過電流値となっていた場合、レンズ鏡筒３を沈胴状態に駆動制御し（ステップＳ１１）、バリア装置２のレンズバリア３３を閉位置（遮蔽位置、図１，図１５）に駆動制御して（ステップＳ１２）、全ての処理を終了し、強制的に電源を切る（ＯＦＦ）。
【０１６１】
また、ステップＳ１１において、制御部９１は、ズーム駆動ユニット４の駆動モータ４１を駆動制御して、鏡筒駆動ギヤ４４と回転移動枠５２（図４）を介してレンズ鏡筒３を収納状態（沈胴状態である短縮状態）まで回動進退駆動させ、バリア装置２のレンズバリア３３を開位置（退避位置、図１７）から閉位置（遮蔽位置、図１，図１５）に移動する。
【０１６２】
なお、ステップＳ９において、ズーム駆動ユニット４への供給している駆動電流値が過電流値となっている状態では、レンズ鏡筒３が伸長しているとき、繰り出し動作を妨げる所定の抵抗がレンズ鏡筒３に与えられた状態となっている可能性が高いことが想定される。つまり、カメラ１は、レンズ鏡筒３が何かの障害物によって、繰り出し動作が妨げられた可能性が高いため、未使用の状態で、ユーザの意図しない不意な電源がＯＮされた状態と想定される。
【０１６３】
上述のステップＳ１０では、所定のセットアップ位置までレンズ鏡筒３が移動するまで、制御部９１がステップＳ９のズーム駆動ユニット４への供給している駆動電流値が過電流値となっているか否かを繰り返し判定する。
【０１６４】
ステップＳ１０において、制御部９１は、所定のセットアップ位置までレンズ鏡筒３が移動した場合、レンズ鏡筒３のセットアップを完了させて正常終了として、カメラ１が撮影可能状態となる。
【０１６５】
以上のようにカメラ１の制御部９１は、第１の操作部材である電源スイッチ４６が押下されて、電源がＯＮされると、バリア装置２のレンズバリア３３を開けて、ＣＣＤ８２により外光（撮影光）を検出させ、外光が所定レベル以上とならない、つまり、ここでは、外光が検出されないときは、レンズ鏡筒３の繰り出しを行なわずに、強制的に電源を切る。一方、制御部９１は、ＣＣＤ８２により、外光が検出されたときは、撮影可能なセットアップ位置までレンズ鏡筒３の繰り出し制御を行う。
【０１６６】
以上の説明から、本実施の形態のカメラ１は、携帯用袋ケース、鞄などに入れて持ち運ばれたときなど、使用しないときに不意に電源スイッチ４６が押下されて電源が入って（ＯＮ）しまった場合でも、レンズ鏡筒３が繰り出さないように制御されるため、レンズ鏡筒３に無理な付加が与えられず、レンズ鏡筒３の損傷を防止することができる。
【０１６７】
また、制御部９１は、上述したステップＳ３において、ＣＣＤ８２により外光が検出されないときは、ＬＣＤ３８に警告メッセージを表示させる。この制御により、カメラ１は、ストロボ発光、夜間撮影モード（夜景、暗環境モード）切替などの操作警告の表示により、ユーザが夜間や、撮影光量不足などの場所で使用するときの操作を電源ＯＮ時に促すことができる。
【０１６８】
さらに、制御部９１は、ステップＳ４〜ステップＳ７において、電源スイッチ４６が長押し操作されているかを判定している。この制御により、カメラ１は、夜間や、撮影光量不足などの場所でユーザが所望にレンズ鏡筒３のセットアップをしたい場合には、電源スイッチ４６を長押しすることで、レンズ鏡筒３のセットアップを実施可能な構成となっている。
【０１６９】
なお、カメラ１は、制御部９１によって、ステップＳ８〜ステップＳ１０までの制御を行なうことで、携帯用袋ケース、鞄の中などで、ユーザの意図に反して不意に電源スイッチ４６が押下され続けた状態（長押しの状態）となった場合においても、レンズ鏡筒３の繰り出しを妨げる所定の抵抗が与えられたときに、強制的にレンズ鏡筒３を沈胴させて（ステップＳ１１）、バリア装置２を閉じて（ステップＳ１２）、電源をＯＦＦする。これにより、カメラ１は、レンズ鏡筒３に無理な負荷を与えることがなく、レンズ鏡筒３の損傷を防止することができる。
【０１７０】
（第２の実施の形態）
次に、制御部９１が実行する電源ＯＮ時の制御例の第２の実施の形態について、図２６、図２８などを用いて説明する。なお、図２８は第２の実施の形態の制御部が実行する電源ＯＮ時の制御処理を示すフローチャートである。
【０１７１】
本実施の形態は、第１の実施の形態における外光を検出するセンサであるＣＣＤ８２に変えて、例えば、カメラ外部の外部光を検出するセンサである測光センサ３７により外光を検出させて、カメラ１の制御部９１が実行する電源ＯＮ時の制御例である。なお、以下の説明において、第１の実施の形態と同一の各処理（ステップＳ）については、それぞれ同一のステップ番号を用いて、それらの詳細な説明を省略する。
【０１７２】
先ず、制御部９１は、電源スイッチ４６が押下（ＯＮ）されて起動すると、第１の実施の形態に説明した図２７のフローチャートにおけるステップＳ１のバリア装置２のレンズバリア３３をバリア開状態にする制御を行なわず、受光センサである測光センサ３７によって外光が検出されているか否かを判定する（ステップＳ２１）。
【０１７３】
ここでは、制御部９１は、センサ駆動回路９２に制御信号を出力し、測光センサ３７によって、外光を検出させる。そして、測光センサ３７による外光の検出結果がセンサ駆動回路９２に入力され、センサ駆動回路９２から検出信号が制御部９１に出力される。
【０１７４】
このステップＳ２１の処理において、測光センサ３７によって検出した外光が所定レベル未満であった場合、制御部９１は、上述した図２７に示した制御例と同様に、ＬＣＤ３８に警告表示させる（ステップＳ３）。なお、所定レベル未満の外光とは、ここでも、例えば、測光センサ３７により外光が検出されない状態である。なお、所定レベル未満の外光は、例えば、測光センサ３７により、ある程度の外光が検出されるものの、ストロボ発光などが必要な暗状態としても良い。
【０１７５】
そして、制御部９１は、第１の実施の形態の図２７に示した制御例と同様に、ステップＳ３〜ステップＳ７までの各処理を実行する。なお、これらステップＳ３〜ステップＳ７の各処理の詳細な説明は、図２７の制御例と同一であるため省略する。また、本実施の形態では、電源ＯＮ時にバリア装置２のレンズバリア３３を開状態にしないため、ステップＳ４、及びステップＳ６において、電源スイッチ４６がＯＮ操作されていない場合、制御部９１がステップＳ１２のバリア装置２のレンズバリア３３を閉じる制御を実行しないで強制的に電源を切る（ＯＦＦ）。
【０１７６】
一方、ステップＳ２１において、測光センサによって検出した外光が所定レベル以上であった場合、制御部９１は、ステップＳ２２の処理に移行する。また、ステップＳ７の処理において、制御部９１は、電源スイッチ４６がＯＮ操作され続けている状態（長押し状態）が所定時間経過した場合も、ステップＳ２２の処理に移行する。
【０１７７】
このステップＳ２２において、制御部９１は、バリア装置２のレンズバリア３３をバリア開状態に制御する（ステップＳ２２）。このとき、第１の実施の形態の図２７で説明したステップＳ１と同様に、制御部９１は、鏡枠駆動回路９３に制御信号を出力し、鏡枠駆動回路９３は電流検出回路９５でモニタされながら、ズーム駆動ユニット４に駆動信号を出力する。つまり、駆動信号が入力されたズーム駆動ユニット４のバリア装置２のレンズバリア３３は、閉位置（遮蔽位置、図１，図１５）から開位置（退避位置、図１７）に移動する。
【０１７８】
次に、制御部９１は、レンズ鏡筒３のセットアップを開始する（ステップＳ８）。そして、制御部９１は、図２７に示した制御例と同様に、ステップＳ８〜ステップＳ１２の各処理を実行する。なお、これらステップＳ８〜ステップＳ１２の各処理の詳細な説明は、図２７の制御例と同一であるため省略する。
【０１７９】
以上のようにカメラ１の制御部９１は、第１の操作部材である電源スイッチ４６が押下されて、電源がＯＮされると、測光センサ３７により外光を検出させ、ここでも、外光が検出されないときは、レンズ鏡筒３の繰り出しを行なわずに、強制的に電源を切る（ＯＦＦ）。以上の説明から、本実施の形態のカメラ１においても、第１の実施の形態で記載した効果を備えている。
【０１８０】
（第３の実施の形態）
次に、制御部９１が実行する電源ＯＮ時の制御例の第３の実施の形態について、図２６、図２９などを用いて説明する。なお、図２９は第３の実施の形態の制御部が実行する電源ＯＮ時の制御処理を示すフローチャートである。
【０１８１】
本実施の形態は、第３の操作部材であるモードダイヤル７５が夜間撮影モード（夜景、暗環境モード）有する場合のカメラ１の制御部９１が実行する電源ＯＮ時の制御例である。
【０１８２】
本実施の形態のカメラ１の制御部９１は、電源スイッチ４６が押下されると、図２９に示すフローチャートに従って各処理を実行する。なお、以下の説明において、第１の実施の形態と同一の各処理（ステップＳ）については、それぞれ同一のステップ番号を用いて、それらの詳細な説明を省略する。
【０１８３】
先ず、制御部９１は、電源スイッチ４６が押下され、起動すると、第１の実施の形態の図２７のフローチャートに示す制御例と同様に、バリア装置２のレンズバリア３３をバリア開状態に制御する（ステップＳ１）。そして、制御部９１は、ステップＳ１〜ステップＳ３の処理を行った後、モードダイヤル７５が暗環境モード（夜景、夜間撮影モード）に設定されているか否かの判定を行なう（ステップＳ３１）。なお、ステップＳ１〜ステップＳ３の各処理の詳細な説明は、第１の実施の形態の図２７で説明した制御例と同一であるため省略する。
【０１８４】
このステップＳ３１において、制御部９１には、モードダイヤル７５からモード選択信号が入力される。そして、制御部９１は、入力されたモード選択信号が暗環境モード（夜景、夜間撮影モード）の場合、レンズ鏡筒３のセットアップを開始する（ステップＳ８）。その後、制御部９１は、第１の実施の形態の図２７で説明した制御例と同様に、ステップＳ８〜ステップＳ１２の処理を実行する。なお、これらステップＳ８〜ステップＳ１２の各処理の詳細な説明は、第１の実施の形態の図２７で説明した制御例と同一であるため省略する。
【０１８５】
一方、制御部９１は、入力されたモード選択信号が暗環境モード（夜景、夜間撮影モード）以外の場合、ステップＳ４の電源スイッチ４６がＯＮ操作されているか否かを判定する（ステップＳ４）。そして、電源スイッチ４６がＯＮでなければ、制御部９１は、図２７に示した制御例と同様に、ステップＳ４〜ステップＳ１２の各処理を実行する。なお、これらステップＳ４〜ステップＳ１２の各処理の詳細な説明も、第１の実施の形態の図２７で説明した制御例と同一であるため省略する。
【０１８６】
なお、本実施の形態でも、第２の実施の形態と同様に、電源ＯＮ時にバリア装置２のレンズバリア３３を開状態にしないため、ステップＳ４、及びステップＳ６において、電源スイッチ４６がＯＮ操作されていない場合、制御部９１がステップＳ１２のバリア装置２のレンズバリア３３を閉じる制御を実行しないで強制的に電源を切る（ＯＦＦ）。
【０１８７】
以上のようにカメラ１の制御部９１は、第１の操作部材である電源スイッチ４６が押下されて、電源がＯＮされると、バリア装置２のレンズバリア３３を開けて、ＣＣＤ８２により外光（撮影光）を検出させ、外光が検出されないときは、第３の操作部材であるモードダイヤル７５による撮影モードが暗環境モード（夜景、夜間撮影モード）に設定されているかを判定し、暗環境モード（夜景、夜間撮影モード）が設定されていない場合に、レンズ鏡筒３の繰り出しを行なわずに、強制的に電源を切る（ＯＦＦ）。
【０１８８】
以上からカメラ１は、モードダイヤル７５による撮影モードが暗環境モード（夜景、夜間撮影モード）に設定された状態であるときは、ＣＣＤ８２により、外光が検出されないときでも、撮影可能なセットアップ位置までレンズ鏡筒３の繰り出し制御を行う。なお、カメラ１は、モードダイヤル７５による撮影モードが暗環境モード（夜景、夜間撮影モード）に設定された状態であるとき、ユーザの意図に反して、電源スイッチ４６が押下されてしまった場合、ステップＳ８〜ステップＳ１０までの制御を行なうことで、レンズ鏡筒３の繰り出しを妨げる所定の抵抗が与えられたときにはレンズ鏡筒３を沈胴させて（ステップＳ１１）、バリア装置２のレンズバリア３３を閉じて（ステップＳ１２）、強制的に電源を切る（ＯＦＦ）。
【０１８９】
以上の説明により、本実施の形態のカメラ１は、第１の実施の形態に記載の効果に加え、モードダイヤル７５による撮影モードが暗環境モード（夜景、夜間撮影モード）に設定された状態であるときに、ユーザの意図に反して、電源スイッチ４６が押下されてしまった場合でも、レンズ鏡筒３に無理な負荷を与えることがなく、レンズ鏡筒３の損傷を防止することができる。
【０１９０】
（第４の実施の形態）
次に、制御部９１が実行する電源ＯＮ時の制御例の第４の実施の形態について、図２６、図３０などを用いて説明する。なお、図３０は第４の実施の形態の制御部が実行する電源ＯＮ時の制御処理を示すフローチャートである。
【０１９１】
本実施の形態は、第３の実施の形態の変形例であって、外光を検出するセンサであるＣＣＤ８２に変えて、第２の実施の形態と同様に、例えば、カメラ外部の外部光を検出するセンサである測光センサ３７により外光を検出させて、カメラ１の制御部９１が実行する電源ＯＮ時の制御例である。なお、以下の説明において、図２７〜図２９と同一の各処理については、それぞれ同一のステップ番号を用いて、それらの詳細な説明を省略する。
【０１９２】
先ず、制御部９１は、電源スイッチ４６が押下（ＯＮ）されて起動すると、第２の実施の形態と同様に、ステップＳ１のバリア装置２のレンズバリア３３をバリア開状態にする制御を行なわず、測光センサ３７によって外光が検出されているか否かを判定する（ステップＳ２１）。そして、このステップＳ２１の処理において、測光センサ３７によって検出した外光が所定レベル未満であった場合、制御部９１は、上述の各実施の形態と同様に、ＬＣＤ３８に警告表示させる（ステップＳ３）。
【０１９３】
制御部９１は、ステップＳ２１、及びステップＳ３の処理を行った後、第３の実施の形態と同様に、第３の操作部材であるモードダイヤル７５が暗環境モード（夜景、夜間撮影モード）に設定されているか否かの判定を行なう（ステップＳ３１）。
【０１９４】
このステップＳ３１において、制御部９１には、モードダイヤル７５からモード選択信号が入力される。そして、制御部９１は、入力されたモード選択信号が暗環境モード（夜景、夜間撮影モード）の場合、バリア装置２のレンズバリア３３をバリア開状態に制御する（ステップＳ２２）。
【０１９５】
次に、制御部９１は、レンズ鏡筒３のセットアップを開始する（ステップＳ８）。そして、制御部９１は、上述の各実施の形態と同様に、ステップＳ８〜ステップＳ１２の処理を実行する。
【０１９６】
一方、制御部９１は、入力されたモード選択信号が暗環境モード（夜景、夜間撮影モード）以外の場合、第３の実施の形態と同様に、ステップＳ４の電源スイッチ４６が押下されるＯＮ操作がなされているか否かを判定する（ステップＳ４）。そして、制御部９１は、上述の各実施の形態と同様に、ステップＳ４〜ステップＳ１２の処理を実行する。なお、ステップＳ４〜ステップＳ１２の各処理の詳細な説明も、上述の各実施の形態の制御例と同一であるため省略する。
【０１９７】
なお、本実施の形態においては、第２の実施の形態と同様に、電源ＯＮ時にバリア装置２のレンズバリア３３を開状態にしないため、ステップＳ４、及びステップＳ６において、電源スイッチ４６がＯＮ操作されていない場合、制御部９１がステップＳ１２のバリア装置２のレンズバリア３３を閉じる制御を実行しないで強制的に電源を切る（ＯＦＦ）。
【０１９８】
以上のようにカメラ１の制御部９１は、第１の操作部材である電源スイッチ４６が押下されて、電源がＯＮされると、測光センサ３７により外光を検出させ、ここでも、外光が検出されないときは、第３の操作部材であるモードダイヤル７５による撮影モードが暗環境モード（夜景、夜間撮影モード）に設定されているかを判定し、暗環境モード（夜景、夜間撮影モード）が設定されていない場合に、レンズ鏡筒３の繰り出しを行なわずに、強制的に電源を切る（ＯＦＦ）。
【０１９９】
以上の説明から本実施の形態のカメラ１においても、第１の実施の形態の効果に加え、第３の実施の形態の効果、具体的には、モードダイヤル７５による撮影モードが暗環境モード（夜景、夜間撮影モード）に設定された状態であるときに、ユーザの意図に反して、電源スイッチ４６が押下されてしまった場合でも、レンズ鏡筒３に無理な負荷を与えることがなく、レンズ鏡筒３の損傷を防止することができる。
【０２００】
（第５の実施の形態）
次に、制御部９１が実行する電源ＯＮ時の制御例の第５の実施の形態について、図２６、図３１などを用いて説明する。なお、図３１は第５の実施の形態の制御部が実行する電源ＯＮ時の制御処理を示すフローチャートである。
【０２０１】
第１の実施の形態においては、カメラ１の制御部９１が図２７のステップＳ４〜ステップＳ７の処理を実行することによって、電源スイッチ４６をユーザが例えば、１秒以上で長押しすることで、ＣＣＤ８２が所定レベル以上の外光を検出していないときでも、レンズ鏡筒３を繰り出して、撮影可能な状態とすることができた。
【０２０２】
これに対して、本実施の形態は、ＣＣＤ８２によって、所定レベル以上の外光が検出されていないときでも、ユーザが所望に電源スイッチ４６、及びＯＫボタン７９を同時操作することで、カメラ１のレンズ鏡筒３の繰り出し制御を行なうことができるカメラ１の制御部９１が実行する電源ＯＮ時の制御例である。
【０２０３】
本実施の形態のカメラ１の制御部９１は、電源スイッチ４６が押下されると、図３１に示すフローチャートに従って各処理を実行する。なお、以下の説明において、図２７と同一の処理（ステップＳ）については、同一のステップ番号を用いて、詳細な説明を省略する。
【０２０４】
先ず、制御部９１は、電源スイッチ４６が押下（ＯＮ）されて起動すると、図２７のフローチャートに示す制御例と同様に、バリア装置２のレンズバリア３３をバリア開状態に制御する（ステップＳ１）。そして、制御部９１は、ステップＳ１〜ステップＳ３の処理を実行する。なお、ステップＳ１〜ステップＳ３の各処理の詳細な説明は、図２７の制御例と同一であるため省略する。
【０２０５】
また、本実施の形態のカメラ１の制御部９１は、ステップＳ２の処理において、ＣＣＤ８２により、外光が検出されない場合、移行したステップＳ３の処理ではＬＣＤ３８に、「撮影光量が足りません。」、「モードダイヤルを夜間撮影モード（夜景、暗環境モード）にしてください。」の他、「このまま撮影するときは、電源スイッチとＯＫボタンを同時に押してください。」などのメッセージを表示させる。
【０２０６】
このステップＳ３の後、制御部９１は、電源スイッチ４６が押下されるＯＮ操作がなされているか否かを判定する（ステップＳ４１）。そして、制御部９１は、ステップＳ４の処理において、電源スイッチ４６がＯＮ操作（押下）されている場合、ＯＫボタン７９がＯＮ操作（押下）されているか否かを判定する（ステップＳ４２）。
【０２０７】
なお、ステップＳ４１の処理では、制御部９１が電源スイッチ４６からの信号が入力されているか否かを判定し、ステップＳ４２の処理では制御部９１がＯＫボタン７９からの信号が入力されているか否かの判定を行なう。
【０２０８】
また、ステップＳ４１における電源スイッチ４６、またはステップＳ４２におけるＯＫボタン７９がＯＮ操作されていない場合、制御部９１は、バリア装置２のレンズバリア３３を閉状態に駆動制御して、強制的に電源を切る（ＯＦＦ）。すなわち、制御部９１は、電源スイッチ４６からの信号、及びＯＫボタン７９からの信号が共に入力されていない場合、ステップＳ１２に移行して、バリア装置２のレンズバリア３３を閉状態に駆動制御して、強制的に電源を切る（ＯＦＦ）。
【０２０９】
一方、ステップＳ４１における電源スイッチ４６、及びステップＳ４２におけるＯＫボタン７９がＯＮ操作されている場合、制御部９１は、レンズ鏡筒３のセットアップを開始する（ステップＳ８）。そして、制御部９１は、図２７〜図２９に示した制御例と同様に、ステップＳ８〜ステップＳ１２の処理を実行する。すなわち、制御部９１は、電源スイッチ４６からの信号、及びＯＫボタン７９からの信号が共（同時）に入力された場合、ステップＳＳ８〜ステップＳ１２の処理を実行する。なお、ステップＳ８〜ステップＳ１２の各処理の詳細な説明も、上述の各実施の形態の制御例と同一であるため省略する。
【０２１０】
以上のようにカメラ１の制御部９１は、第１の操作部材である電源スイッチ４６が押下されて、電源がＯＮされると、ＣＣＤ８２により外光を検出させ、ここでも、外光が検出されないときは、レンズ鏡筒３の繰り出しを行なわずに、強制的に電源を切る（ＯＦＦ）。
【０２１１】
以上から、カメラ１は、制御部９１がステップＳ４１〜ステップＳ４２において、電源スイッチ４６、及びＯＫボタン７９が同時に操作されているかを判定している。この制御により、本実施の形態のカメラ１は、第１の実施の形態の効果に加え、夜間や、撮影光量不足などの場所でユーザが所望にレンズ鏡筒３のセットアップをしたい場合には、電源スイッチ４６、及びＯＫボタン７９を同時に操作することで、レンズ鏡筒３のセットアップを実施可能な構成となっている。
【０２１２】
（第６の実施の形態）
次に、制御部９１が実行する電源ＯＮ時の制御例の第６の実施の形態について、図２６、図３２などを用いて説明する。なお、図３２は第６の実施の形態の制御部が実行する電源ＯＮ時の制御処理を示すフローチャートである。
【０２１３】
本実施の形態は、第５の実施の形態における外光を検出するセンサであるＣＣＤ８２に変えて、第２、第４の実施の形態と同様に、例えば、カメラ外部の外部光を検出するセンサである測光センサ３７により外光を検出させて、カメラ１の制御部９１が実行する電源ＯＮ時の制御例である。なお、以下の説明において、図２７〜図３１と同一の処理（ステップＳ）については、同一のステップ番号を用いて、詳細な説明を省略する。
【０２１４】
先ず、制御部９１は、電源スイッチ４６が押下（ＯＮ）されて起動すると、図２７、図２９、図３１のフローチャートにおけるステップＳ１のバリア装置２のレンズバリア３３をバリア開状態にする制御を行なわず、測光センサ３７によって外光が検出されているか否かを判定する（ステップＳ２１）。そして、このステップＳ２１の処理において、測光センサ３７によって検出した外光が所定レベル未満であった場合、制御部９１は、図２７に示した制御例と同様に、ＬＣＤ３８に警告表示させる（ステップＳ３）。
【０２１５】
ここでも、本実施の形態のカメラ１の制御部９１は、ステップＳ２の処理において、ＣＣＤ８２により、外光が検出されない場合、移行したステップＳ３の処理ではＬＣＤ３８に、「撮影光量が足りません。」、「モードダイヤルを夜間撮影モード（夜景、暗環境モード）にしてください。」の他、「このまま撮影するときは、電源スイッチとＯＫボタンを同時に押してください。」などのメッセージを表示させる。
【０２１６】
このステップＳ３の後、制御部９１は、第５の実施の形態と同様に、電源スイッチ４６が押下されるＯＮ操作がなされているか否かを判定する（ステップＳ４１）。そして、制御部９１は、ステップＳ４の処理において、電源スイッチ４６がＯＮ操作（押下）されている場合、ＯＫボタン７９がＯＮ操作（押下）されているか否かを判定する（ステップＳ４２）。
【０２１７】
そして、ステップＳ４１における電源スイッチ４６、またはステップＳ４２におけるＯＫボタン７９がＯＮ操作されていない場合、制御部９１は、バリア装置２のレンズバリア３３を閉状態に駆動制御して、強制的に電源を切る（ＯＦＦ）。
【０２１８】
一方、ステップＳ４１における電源スイッチ４６、及びステップＳ４２におけるＯＫボタン７９がＯＮ操作されている場合、制御部９１は、バリア装置２のレンズバリア３３を開状態にし（ステップＳ２２）、レンズ鏡筒３のセットアップを開始する（ステップＳ８）。そして、制御部９１は、図２７〜図３１に示した制御例と同様に、ステップＳ８〜ステップＳ１２の処理を実行する。なお、ステップＳ２２、ステップＳ８〜ステップＳ１２の各処理の詳細な説明も、図２８、及び図３０の制御例と同一であるため省略する。
【０２１９】
以上のようにカメラ１の制御部９１は、第１の操作部材である電源スイッチ４６が押下されて、電源がＯＮされると、測光センサ３７により外光を検出させ、ここでも、外光が検出されないときは、レンズ鏡筒３の繰り出しを行なわずに、強制的に電源を切る（ＯＦＦ）。
【０２２０】
以上から、カメラ１は、制御部９１が、第５の実施の形態と同様に、ステップＳ４１〜ステップＳ４２において、電源スイッチ４６、及びＯＫボタン７９が同時に操作されているかを判定している。この制御により、本実施の形態のカメラ１も、第１の実施の形態の効果に加え、第５の実施の形態と同様に、夜間や、撮影光量不足などの場所でユーザが所望にレンズ鏡筒３のセットアップをしたい場合には、電源スイッチ４６、及びＯＫボタン７９を同時に操作することで、レンズ鏡筒３のセットアップを実施可能な構成となっている。
【０２２１】
なお、実施の形態の説明において、電源スイッチ４６を押下式のスイッチで説明したが、スライド式スイッチでも同様である。
【０２２２】
以上の実施の形態に記載した発明は、その実施の形態、および変形例に限ることなく、その他、実施段階ではその要旨を逸脱しない範囲で種々の変形を実施し得ることが可能である。
【産業上の利用可能性】
【０２２３】
本発明による撮影レンズ鏡筒を備えたカメラは、ユーザの意図に反して電源が入ってしまった場合でも、撮影レンズ鏡筒の繰り出しを行なわず、強制的に電源を切ることが可能とするコンパクトカメラに利用することができる。
【符号の説明】
【０２２４】
１…カメラ（撮像装置）    
２…バリア装置    
３…レンズ鏡筒（撮影レンズ鏡筒）    
４…ズーム駆動ユニット    
３３…レンズバリア（バリア）    
３７…測光センサ（受光センサ）    
４６…電源スイッチ（第１の操作部材）    
７５…モードダイヤル（第３の操作部材）    
７９…ＯＫ（ファンクション）ボタン（第２の操作部材）    
８２…ＣＣＤ（センサ、撮像素子）    
９１…制御部（制御手段）    
９２…センサ駆動回路    
９３…鏡枠駆動回路    
９４…ＣＣＤ駆動回路    
９５…電流検出回路    
【図１】
2011022415.tif 000004
【図２】
2011022415.tif 000005
【図３】
2011022415.tif 000006
【図４】
2011022415.tif 000007
【図５】
2011022415.tif 000008
【図６】
2011022415.tif 000009
【図７】
2011022415.tif 000010
【図８】
2011022415.tif 000011
【図９】
2011022415.tif 000012
【図１０】
2011022415.tif 000013
【図１１】
2011022415.tif 000014
【図１２】
2011022415.tif 000015
【図１３】
2011022415.tif 000016
【図１４】
2011022415.tif 000017
【図１５】
2011022415.tif 000018
【図１６】
2011022415.tif 000019
【図１７】
2011022415.tif 000020
【図１８】
2011022415.tif 000021
【図１９】
2011022415.tif 000022
【図２０】
2011022415.tif 000023
【図２１】
2011022415.tif 000024
【図２２】
2011022415.tif 000025
【図２３】
2011022415.tif 000026
【図２４】
2011022415.tif 000027
【図２５】
2011022415.tif 000028
【図２６】
2011022415.tif 000029
【図２７】
2011022415.tif 000030
【図２８】
2011022415.tif 000031
【図２９】
2011022415.tif 000032
【図３０】
2011022415.tif 000033
【図３１】
2011022415.tif 000034
【図３２】
2011022415.tif 000035